(57)【特許請求の範囲】
【請求項１】
ネットワークノードがRRC専有シグナリングにより高さ測位を実行するようにユーザ装置に指示することと、
前記ネットワークノードが前記ユーザ装置の、高さ情報を含む位置情報を取得することと、
前記ネットワークノードが前記ユーザ装置の位置情報によりユーザ装置へ測定設定の関連情報を送信し、前記測定設定の関連情報により対応する測定を実行するように前記ユーザ装置に指示することと、を含み、
前記ネットワークノードが前記ユーザ装置の位置情報によりユーザ装置へ測定設定の関連情報を送信することは、
前記ネットワークノードが前記ユーザ装置の位置情報と前記ネットワークノードのカバレッジ範囲内のネットワークトポロジ情報によりユーザ装置へ測定設定の関連情報を送信することを含み、前記ネットワークトポロジ情報は、
前記ネットワークノードのカバレッジ範囲内のWIFIアクセスポイント情報及びWIFIアクセスポイントの地理位置情報、又は、
前記ネットワークノードのカバレッジ範囲内のD2Dネットワークノード情報及びD2Dネットワークノードの地理位置情報を含み、
前記ネットワークノードは、前記ユーザ装置が既に室内環境に入ったとのイベントに基づいて、前記ユーザ装置の高さ測位に対する測定及び/又は高さ測位情報の報告をトリガーして実行するセル発見方法。
【請求項２】
前記ネットワークノードがユーザ装置の、高さ情報を含む位置情報を取得することは、  前記ネットワークノードが前記ユーザ装置の位置情報を自発的に取得すること、又は、  前記ネットワークノードが前記ユーザ装置が報告した情報により前記ユーザ装置の位置情報を取得すること、又は、
前記ネットワークノードが前記ユーザ装置のユーザ入力情報により前記ユーザ装置の位置情報を取得すること、又は、
前記ネットワークノードが前記ユーザ装置のユーザ入力情報を検索することにより、前記ユーザ装置の位置情報を取得すること、を含む請求項1に記載のセル発見方法。
【請求項３】
前記ネットワークノードが、
前記ネットワークノードが、前記ユーザ装置が送信した現在温度値又は前記現在温度値及び予定規則により確定された既に室内環境に入ったかどうかの指示情報を受信すること、
前記ネットワークノードが、前記ユーザ装置が送信した現在温度値又は指示情報又は前記ユーザ装置の水平位置情報により、前記ユーザ装置が既に室内環境に入ったかどうかを判断すること、という方式により前記ユーザ装置が既に室内環境に入ったことを確定することと、
前記ネットワークノードは前記ユーザ装置が室内環境に入ったことを確定した後、RRC専有シグナリングにより該ユーザ装置が既に室内環境に入ったことを前記ユーザ装置に指示することと、
前記ネットワークノードは前記ユーザ装置が既に室内環境に入ったとのイベントに基づいて前記ユーザ装置に対する水平測位の実行をトリガーすることと、を更に含む請求項1に記載のセル発見方法。
【請求項４】
前記ネットワークノードは、
前記ネットワークノードが設定方式により前記ネットワークトポロジ情報を取得すること、又は、
前記ネットワークノードが、ユーザ装置が報告した近接指示と、前記報告を実行したユーザ装置の位置情報とを合わせることで前記ネットワークトポロジ情報を取得すること、という方式により前記カバレッジ範囲のネットワークトポロジ情報を取得する請求項1に記載のセル発見方法。
【請求項５】
前記ネットワークノードが前記ユーザ装置の位置情報と前記ネットワークノードのカバレッジ範囲内のネットワークトポロジ情報によりユーザ装置へ測定設定の関連情報を送信することは、
前記ネットワークノードが総合的に前記ユーザ装置の水平位置情報と高さ位置情報により前記ユーザ装置へ測定設定の関連情報を送信することであり、前記測定設定の関連情報は、
1つ又は複数の測定対象情報である第1組の情報、又は、
ユーザ装置のWIFI機能モジュールの開始指示、及び/又はWIFIアクセスポイント情報である第2組の情報、又は、
ユーザ装置のD2D機能モジュールの開始指示、及び/又はD2D関連測定の設定情報である第3組の情報、のいずれかの1組の情報を含み、
前記D2D関連測定の設定情報は、ユーザ装置がD2D発見又はD2D通信の送信及び/又は受信を実行するリソース、又は識別子、又はシーケンス関連の情報を含み、
または、
前記測定対象情報は、
測定する必要がある、CDMA2000、E-UTRAN、UTRAN及びGERANを含むフォーマット情報、及び/又は、
測定する必要がある周波数点情報、及び/又は、
測定する必要がある周波数点での、セルの物理セル識別子情報を含むセル情報を含む請求項4に記載のセル発見方法。
【請求項６】
ユーザ装置は高さ測位の測定を行って、測定した高さ位置情報をネットワークノードに報告することと、
前記ユーザ装置は前記ネットワークノードが前記ユーザ装置の、高さ情報を含む位置情報により送信した測定設定の関連情報を受信することと、
前記ユーザ装置が前記測定設定の関連情報により対応する測定を実行することと、を含み、
前記ユーザ装置は前記ネットワークノードが前記ユーザ装置の、高さ情報を含む位置情報により送信した測定設定の関連情報を受信することは、
前記ネットワークノードが前記ユーザ装置の位置情報と前記ネットワークノードのカバレッジ範囲内のネットワークトポロジ情報によりユーザ装置へ測定設定の関連情報を送信することを含み、前記ネットワークトポロジ情報は、
前記ネットワークノードのカバレッジ範囲内のWIFIアクセスポイント情報及びWIFIアクセスポイントの地理位置情報、又は、
前記ネットワークノードのカバレッジ範囲内のD2Dネットワークノード情報及びD2Dネットワークノードの地理位置情報を含み、
前記ユーザ装置が高さ測位の測定を行うステップの前に、
前記ユーザ装置が該ユーザ装置に対する高さ測位の実行を自発的にトリガーすること、又は、
前記ユーザ装置は前記ネットワークノードがRRC専有シグナリングにより送信した指示を受信し、高さ測位の実行をトリガーすること、を更に含み、
前記ユーザ装置の高さ測位の測定及び/又は高さ測位情報の報告をトリガーするトリガーイベントは前記ユーザ装置が既に室内環境に入ったことを含むセル発見方法。
【請求項７】
前記ユーザ装置が高さ測位の測定を行って、測定した高さ位置情報をネットワークノードに報告することは、
前記ユーザ装置が高さ測位の測定を行い、具体的に、その内蔵の気圧計又は気圧式高さ計を使用して気圧測定を行い、気圧測定値を得ることと、
前記ユーザ装置が、取得された校正データにより気圧測定値を校正して前記気圧測定値に対応する高さ値を得ることと、
前記ユーザ装置が前記高さ値を高さ位置情報とし、前記ネットワークノードに報告することと、を含む請求項6に記載のセル発見方法。
【請求項８】
前記ユーザ装置が高さ測位の測定を行って、測定した高さ位置情報をネットワークノードに報告することは、
前記ユーザ装置が高さ測位の測定を行い、具体的に、その内蔵の気圧計又は気圧式高さ計を使用して気圧測定を行い、気圧測定値を得ることと、
前記ユーザ装置が前記気圧測定値を高さ位置情報としてネットワークノードに報告し、それにより前記ネットワークノードがローカルの校正データにより前記気圧測定値を校正して前記気圧測定値に対応する高さ値を得ることと、を含む請求項6に記載のセル発見方法。
【請求項９】
前記高さ測位情報は気圧測定値及び/又は高さ値を含む請求項6に記載のセル発見方法。
【請求項１０】
前記ユーザ装置の高さ測位情報の報告をトリガーするトリガーイベントは、
現在気圧測定値又は高さ測定値と前回の気圧測定値又は高さ測定値とを比較した変化幅が予定値に達すること、
又は、現在気圧測定値又は高さ測定値が予定気圧値又は予定高さ値の範囲内にあること、を含み、
又は
前記ユーザ装置が、
前記ユーザ装置が内蔵の温度計を使用して測定を行い、現在温度値を得て、そして予定規則により既に室内環境に入ったかどうかを確定すること、又は、
前記ユーザ装置が前記ユーザ装置の水平位置情報により前記ユーザ装置が既に室内環境に入ったかどうかを確定すること、という方式により前記ユーザ装置が既に室内環境に入ったことを確定することを更に含み、
前記ユーザ装置は前記ユーザ装置が既に室内環境に入ったとのイベントに基づいて前記ユーザ装置に対する水平測位の実行をトリガーすることを更に含む請求項9に記載のセル発見方法。
【請求項１１】
ネットワークノードがユーザ装置へ高さ位置情報と関連する測定設定の関連情報を送信し、高さ測位結果と前記測定設定の関連情報により対応する測定を実行するように前記ユーザ装置に指示することを更に含む請求項1に記載のセル発見方法。
【請求項１２】
前記高さ位置情報と関連する測定設定の関連情報は、
1つ又は複数の測定対象情報及び測定対象に対する測定をトリガーする条件情報である第4組の情報、
前記ユーザ装置のWIFI機能モジュールの開始指示、及び/又はWIFIアクセスポイント情報、及び前記WIFI機能モジュールの開始とWIFIアクセスポイントに対する測定をトリガーする条件情報である第5組の情報、
前記ユーザ装置のD2D機能モジュールの開始指示、及び/又はD2D関連測定の設定情報、及び前記D2D機能モジュールの開始とD2D関連の測定をトリガーする条件情報である第6組の情報、のいずれかの1組の情報を含み、
前記D2D関連測定の設定情報は、
前記ユーザ装置がD2D発見又はD2D通信の送信及び/又は受信を実行するリソース、又は識別子、又はシーケンス関連の情報を含み、
又は
前記条件情報は、
気圧値又は高さ値の値範囲、又は、
気圧値又は高さ値の閾値を含む請求項11に記載のセル発見方法。
【請求項１３】
前記ネットワークノードがユーザ装置へ高さ位置情報と関連する測定設定の関連情報を送信することは、
前記ネットワークノードがそのカバレッジ範囲内のネットワークトポロジ情報によりユーザ装置へ高さ位置情報と関連する測定設定の関連情報を送信すること、又は、
前記ネットワークノードがそのカバレッジ範囲内のネットワークトポロジ情報と前記ユーザ装置の関連の常用情報によりユーザ装置へ高さ位置情報と関連する測定設定の関連情報を送信すること、又は、
前記ネットワークノードが前記ユーザ装置の水平位置情報とそのカバレッジ範囲内のネットワークトポロジ情報によりユーザ装置へ高さ位置情報と関連する測定設定の関連情報を送信すること、を含み、
前記ネットワークトポロジ情報は、前記ネットワークノードのカバレッジ範囲内のセル情報又はWIFIアクセスポイント情報又はD2Dネットワークノード情報、及びセル又はWIFIアクセスポイント又はD2Dネットワークノードの地理位置情報を少なくとも含み、
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計による又はユーザが設定したWIFI又はD2D傾向情報である請求項11に記載のセル発見方法。
【請求項１４】
前記ユーザ装置が高さ測位結果と前記測定設定の関連情報により対応する測定を実行することを更に含む請求項6に記載のセル発見方法。
【請求項１５】
前記ユーザ装置が高さ測位結果と測定設定の関連情報により対応する測定を実行することは、
前記ユーザ装置が内蔵の気圧計又は気圧式高さ計を使用して高さ測位を実行することと、
高さ測位結果が前記測定設定の関連情報における測定対象に対する測定、又はWIFI又はD2D関連の開始又は測定をトリガーする条件を満たすことを確定する場合、前記ユーザ装置は前記測定設定の関連情報における1つ又は複数の測定対象に対して測定を実行するか又はWIFI又はD2Dの対応する測定を実行するか、又はWIFI又はD2D関連機能モジュールを開始することと、を含む請求項14に記載のセル発見方法。
【請求項１６】
RRC専有シグナリングにより高さ測位を実行するようにユーザ装置に指示するように設定される測位指示モジュール、
前記ユーザ装置の、高さ情報を含む位置情報を取得するように設定される位置情報取得モジュール、
前記ユーザ装置の位置情報によりユーザ装置へ測定設定の関連情報を送信し、前記測定設定の関連情報により対応する測定を実行するように前記ユーザ装置に指示するように設定される設定モジュール、を含み、
前記設定モジュールは、
前記ユーザ装置の位置情報とネットワークノードのカバレッジ範囲内のネットワークトポロジ情報によりユーザ装置へ測定設定の関連情報を送信するように設定される設定実行ユニットを含み、前記ネットワークトポロジ情報は、
前記ネットワークノードのカバレッジ範囲内のWIFIアクセスポイント情報及びWIFIアクセスポイントの地理位置情報、又は、
前記ネットワークノードのカバレッジ範囲内のD2Dネットワークノード情報及びD2Dネットワークノードの地理位置情報を含み、
前記ネットワークノードは、前記ユーザ装置が既に室内環境に入ったとのイベントに基づいて、前記ユーザ装置の高さ測位に対する測定及び/又は高さ測位情報の報告をトリガーして実行するセル発見装置。
【請求項１７】
前記位置情報取得モジュールは、
自発的に前記ユーザ装置の位置情報を取得するように設定される第1取得ユニット、
ユーザ装置が報告した情報により前記ユーザ装置の位置情報を取得するように設定される第2取得ユニット、
前記ユーザ装置のユーザ入力情報により前記ユーザ装置の位置情報を取得するように設定される第3取得ユニット、
前記ユーザ装置のユーザ入力情報を検索することにより、前記ユーザ装置の位置情報を取得するように設定される第4取得ユニット、を含む請求項16に記載のセル発見装置。
【請求項１８】
前記ユーザ装置が送信した現在温度値又は前記現在温度値及び予定規則により確定された既に室内環境に入ったかどうかの指示情報を受信し、前記ユーザ装置が送信した現在温度値又は前記指示情報又は前記ユーザ装置の水平位置情報により、前記ユーザ装置が既に室内環境に入ったかどうかを判定する、という方式により前記ユーザ装置が既に室内環境に入ったことを確定するように設定される環境判定モジュールを更に含み、
前記測位指示モジュールは更に、前記環境判定モジュールが、前記ユーザ装置が既に室内環境に入ったことを確定した後、RRC専有シグナリングにより前記ユーザ装置が既に室内環境に入ったことを該ユーザ装置に指示するように設定される請求項16に記載のセル発見装置。
【請求項１９】
前記設定モジュールは、
設定方式により前記ネットワークトポロジ情報を取得すること、又は、
ユーザ装置が報告した近接指示と、前記報告を実行したユーザ装置の位置情報とを合わせることで前記ネットワークトポロジ情報を取得すること、という方式により前記カバレッジ範囲のネットワークトポロジ情報を取得するように設定されるトポロジ情報取得ユニットを更に含む請求項16に記載のセル発見装置。
【請求項２０】
高さ測位の測定を行って、測定した高さ位置情報をネットワークノードに報告するように設定される測位モジュール、
前記測位モジュールが該ユーザ装置に対する高さ測位を実行することを自発的にトリガーするか、又は、
前記ネットワークノードがRRC専有シグナリングにより送信した指示を受信し、該指示により前記測位モジュールが高さ測位を実行することをトリガーするように設定されるトリガーモジュール、
ネットワークノードがユーザ装置の、高さ情報を含む位置情報により送信した測定設定の関連情報を受信するように設定される設定情報受信モジュール、
前記測定設定の関連情報により対応する測定を実行するように設定される測定実行モジュール、を含み、
前記設定情報受信モジュールは具体的に、
前記ネットワークノードが前記ユーザ装置の位置情報と前記ネットワークノードのカバレッジ範囲内のネットワークトポロジ情報によりユーザ装置へ測定設定の関連情報を送信するように設定され、前記ネットワークトポロジ情報は、
前記ネットワークノードのカバレッジ範囲内のWIFIアクセスポイント情報及びWIFIアクセスポイントの地理位置情報、又は、
前記ネットワークノードのカバレッジ範囲内のD2Dネットワークノード情報及びD2Dネットワークノードの地理位置情報を含み、
前記トリガーモジュールは更に、トリガーイベントを検出する場合に前記ユーザ装置の高さ測位の測定及び/又は高さ測位情報の報告をトリガーするように設定され、前記トリガーイベントは前記ユーザ装置が既に室内環境に入ったことを含むセル発見装置。
【請求項２１】
前記測位モジュールは、
高さ測位の測定を行い、具体的に、ユーザ装置の内蔵の気圧計又は気圧式高さ計を使用して気圧測定を行い、気圧測定値を得るように設定される高さ測定ユニット、
取得された校正データにより気圧測定値を校正して前記気圧測定値に対応する高さ値を得るように設定される計算ユニット、
前記高さ値を高さ位置情報とし、前記ネットワークノードに報告するように設定される報告ユニット、を含む請求項20に記載のセル発見装置。
【請求項２２】
前記報告ユニットは更に、前記気圧測定値を高さ位置情報としてネットワークノードに報告し、それにより前記ネットワークノードがローカルの校正データにより前記気圧測定値を校正して前記気圧測定値に対応する高さ値を得るように設定される請求項21に記載のセル発見装置。
【請求項２３】
前記測位モジュールが該ユーザ装置に対する高さ測位を実行することを自発的にトリガーするか、又は、
前記ネットワークノードがRRC専有シグナリングにより送信した指示を受信し、該指示により前記測位モジュールが高さ測位を実行することをトリガーするように設定されるトリガーモジュールを更に含む請求項21に記載のセル発見装置。
【請求項２４】
前記高さ測位情報は気圧測定値及び/又は高さ値を含み、前記トリガーイベントは、
現在気圧測定値又は高さ測定値と前回の気圧測定値又は高さ測定値とを比較した変化幅が予定値に達すること、
又は、現在気圧測定値又は高さ測定値が予定気圧値又は予定高さ値の範囲内にあることを含み、
前記ユーザ装置の内蔵の温度計を使用して測定を行い、現在温度値を得て、そして予定規則により既に室内環境に入ったかどうかを確定すること、又は、
前記ユーザ装置の水平位置情報により前記ユーザ装置が既に室内環境に入ったかどうかを確定すること、という方式により前記ユーザ装置が既に室内環境に入ったことを確定するように設定される環境判定モジュールを更に含み、
又は
前記トリガーモジュールは更に、前記ユーザ装置が既に室内環境に入ったとのイベントに基づいて前記測位モジュールが前記ユーザ装置に対する水平測位を実行することをトリガーするように設定され、
前記測位モジュールは、前記ユーザ装置に対する水平測位を実行するように設定される水平測位ユニットを更に含む請求項23に記載のセル発見装置。
【請求項２５】
ユーザ装置へ高さ位置情報と関連する測定設定の関連情報を送信し、高さ測位結果と前記測定設定の関連情報により対応する測定を実行するように前記ユーザ装置に指示するように更に設定される前記設定モジュールを含む請求項16に記載のセル発見装置。
【請求項２６】
前記設定モジュールは、
ネットワークノードのカバレッジ範囲内のネットワークトポロジ情報によりユーザ装置へ高さ位置情報と関連する測定設定の関連情報を送信するように設定される第1設定ユニット、
前記ネットワークノードのカバレッジ範囲内のネットワークトポロジ情報と前記ユーザ装置の関連の常用情報によりユーザ装置へ高さ位置情報と関連する測定設定の関連情報を送信するように設定される第2設定ユニット、を含み、
前記ネットワークトポロジ情報は、前記ネットワークノードのカバレッジ範囲内のセル情報又はWIFIアクセスポイント情報又はD2Dネットワークノード情報、及びセル又はWIFIアクセスポイント又はD2Dネットワークノードの地理位置情報を少なくとも含み、
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計による又はユーザが設定したWIFI又はD2D傾向情報である請求項25に記載のセル発見装置。
【請求項２７】
高さ測位結果と前記測定設定の関連情報により対応する測定を実行するように更に設定される前記測定実行モジュールを含む請求項20に記載のセル発見装置。
【請求項２８】
前記測定実行モジュールは、
ユーザ装置の内蔵の気圧計又は気圧式高さ計を使用して高さ測位を実行するように設定される測定ユニット、
高さ測位結果が前記測定設定の関連情報における測定対象に対する測定又はWIFI又は D2D関連の開始又は測定をトリガーする条件を満たすことを確定する場合、前記測定設定の関連情報における1つ又は複数の測定対象に対して測定を実行するか又はWIFI又はD2Dの対応する測定を実行するか、又は前記ユーザ装置のWIFI又はD2D関連機能モジュールを開始するように設定される制御ユニット、を含む請求項27に記載のセル発見装置。
【発明の詳細な説明】
【技術分野】
【０００１】
本発明は移動通信分野に関し、特にセル発見方法及び装置に関する。
【背景技術】
【０００２】
無線マルチメディアサービスの発展に従って、人々の高データレートとユーザ体験に対する要求はますます増加しているようになり、それにより従来のセルラーネットワークのシステム容量とカバレッジに高い要求がある。従来のLTEセルラーネットワークにおいて、マクロ基地局は唯一のアクセス側ネットワーク構成要素としてUEにアクセスサービスを提供する。ユーザの高いデータレートに対する要求を満たすとともにセルラーネットワークのスペクトル効率を向上させるために、3GPPは低消費電力ノード（LPN）を導入してマクロ基地局の補足としてUEにアクセスサービスを提供する。LPNは低コスト、低電力、配備しやすい等の特徴を有し、常にホットスポット配備と強化カバレッジという2種の配備シーンがあり、室内又は野外のホットスポット領域の高速データサービスのデータ速度を効果的に向上させることができ、遠隔地域又はセル辺縁のカバレッジを改良する。常にLPNは小型基地局とも言われることができ、ホーム基地局（HeNB）、ピコ基地局（pico）、無線周波数リモートユニット/ヘッド（RRU/RRH）、中継ノード（RN）等を含む。小型基地局でのセルは常に小さなセル（small cell）と言われる。
【０００３】
UEがより高いデータ速度を取得するとともにUEの電力消耗を減少するために、UEがタイムリーに付近の小型基地局ノードを効果的に発見することができる必要があり、それによりネットワークノードがタイムリーにUEを付近の小型基地局にバイパスして高データレートを取得すると同時にマクロ基地局の負荷をバイパスし、且つ異なる地域の小型基地局が同じスペクトルリソースを多重化することができ、それによりスペクトル効率を大きく向上させる。一方、UEの電力消耗もユーザの最も関心する問題である。UEは小型基地局にバイパスされた後に距離が近い小型基地局でサービスされ、UEの電力消耗を良く節約することができる。また、UEの消費電力の大部分は更に隣接セルに対する発見及び測定で体現される。特に小型基地局とマクロ基地局が異なる周波数点を採用する場合に異なる周波数の測定を実行してセル発見を完成する必要がある。LTEにおいてUEが異なる周波数の測定を実行するには、基地局がUEに測定隙間を設定する必要があり、測定隙間の期間にUEはサービス基地局との通信を中断することにより異なる周波数セルを測定する。UEの同時に測定できる異なる周波数のキャリア周波数は限定されたのもであり、測定する必要とする異なる周波数の数が大きくすると、UEにより多い測定隙間を設定し、UEの異なる周波数の測定の実行に消耗する必要がある電力も多くなる。また、LTEにおいて接続状態のUEに対してs-measure機構を採用して異なる周波数の測定を含む隣接セルに対する測定行為を開始/オフするようにUEを制御する。基地局はUEにs-measure値（即ちサービスセルのRSRP閾値）を設定することができ、UEのサービスセルRSRP値が閾値よりも高いと、隣接セルに対する測定を開始する必要がない。
【０００４】
ホットスポット配備のシーンにおいて、高いデータ速度とスペクトル効率を達成するために、領域内に小型基地局を密集且つ大量に配備する必要があり、且つマクロ基地局と小型基地局は異なる周波数点を採用する可能性があり、小型基地局の間にも異なる周波数点を採用する可能性がある。特に、室内の配備シーンにおいて、例えばオフィス、市場等は常に多階建ての建物であり、異なるフロアにいずれも小型基地局が配備される可能性があり、異なるフロアの小型基地局の作動キャリア周波数は同じものではない可能性があり、即ち該領域に進入するUEは隣接する小さなセルを発見するために大量の異なる周波数の周波数点に対して異なる周波数の測定を実行する必要があり、更に大量のUE電力消耗を引き起こす。
【０００５】
且つホットスポット配備のシーンにおいて、小型基地局はマクロ基地局の配備に近接する可能性があり、即ちマクロ基地局のセル中心領域にあり、マクロ基地局セルの辺縁に配備されない。s-measure機構を採用する場合に、マクロセルでサービスされたUEは、マクロセルの中心領域の小さなセル範囲内にある場合に測定して得られたサービスセルRSRP値は依然として良く、且つs-measure値よりも高い可能性が高いので、隣接セルに対する測定をタイムリーにトリガーして開始することができないことを引き起こし、更に付近の小さなセルを効果的に発見することができない。関連するs-measure機構の採用は小型基地局のホットスポット領域の配備での小さなセル発見に適用されない。
【発明の概要】
【発明が解決しようとする課題】
【０００６】
本発明は、小さなセルの発見過程においてタイムリーにトリガーすることができないとともに電力消耗が大きい問題を解決するためのセル発見方法及び装置を提供する。
【課題を解決するための手段】
【０００７】
セル発見方法であって、
ネットワークノードがユーザ装置の、高さ情報を含む位置情報を取得することと、
前記ネットワークノードが前記ユーザ装置の位置情報によりユーザ装置へ測定設定の関連情報を送信し、前記測定設定の関連情報により対応する測定を実行するように前記ユーザ装置に指示することと、を含む。
【０００８】
好ましくは、前記ネットワークノードがユーザ装置の、高さ情報を含む位置情報を取得することは、
前記ネットワークノードが前記ユーザ装置の位置情報を自発的に取得すること、又は、
前記ネットワークノードが前記ユーザ装置が報告した情報により前記ユーザ装置の位置情報を取得すること、又は、
前記ネットワークノードが前記ユーザ装置のユーザ入力情報により前記ユーザ装置の位置情報を取得すること、又は、
前記ネットワークノードが前記ユーザ装置のユーザ入力情報を検索することにより、前記ユーザ装置の位置情報を取得すること、を含む。
【０００９】
好ましくは、前記ネットワークノードがユーザ装置の、高さ情報を含む位置情報を取得するステップの前に、
前記ネットワークノードがRRC専有シグナリングにより、高さ測位を実行するように前記ユーザ装置に指示することを更に含む。
【００１０】
好ましくは、該方法は、
前記ネットワークノードは、
前記ネットワークノードが、前記ユーザ装置が送信した現在温度値又は前記現在温度値及び前記予定規則により確定された既に室内環境に入るかどうかの指示情報を受信すること、
前記ネットワークノードが、前記ユーザ装置が送信した現在温度値又は指示情報又は前記ユーザ装置の水平位置情報により、前記ユーザ装置が既に室内環境に入るかどうかを判定すること、という方式により前記ユーザ装置が既に室内環境に入ることを確定することを更に含む。
【００１１】
好ましくは、該方法は、
前記ネットワークノードは前記ユーザ装置が室内環境に入ることを確定した後、RRC専有シグナリングにより該ユーザ装置が既に室内環境に入ることを前記ユーザ装置に指示することを更に含む。
【００１２】
好ましくは、該方法は、
前記ネットワークノードは前記ユーザ装置が既に室内環境に入るイベントに基づいて前記ユーザ装置に対する水平測位をトリガーして実行することを更に含む。
【００１３】
好ましくは、前記ネットワークノードが前記ユーザ装置の位置情報によりユーザ装置へ測定設定の関連情報を送信することは、
前記ネットワークノードが前記ユーザ装置の位置情報と前記ネットワークノードのカバレッジ範囲内のネットワークトポロジ情報によりユーザ装置へ測定設定の関連情報を送信することを含み、前記ネットワークトポロジ情報は、
前記ネットワークノードのカバレッジ範囲内のセル情報及び前記セルの地理位置情報、又は、
前記ネットワークノードのカバレッジ範囲内のWIFIアクセスポイント情報及び前記WIFIアクセスポイントの地理位置情報、又は、
前記ネットワークノードのカバレッジ範囲内のD2Dネットワークノード情報及び前記D2Dネットワークノードの地理位置情報を含む。
【００１４】
好ましくは、前記ネットワークノードは、
前記ネットワークノードが設定方式により前記ネットワークトポロジ情報を取得すること、又は、
前記ネットワークノードが、ユーザ装置が報告した近接指示と、前記報告を実行したユーザ装置の位置情報とを合わせて前記ネットワークトポロジ情報を取得すること、という方式により前記カバレッジ範囲のネットワークトポロジ情報を取得する。
【００１５】
好ましくは、前記ネットワークノードが前記ユーザ装置の位置情報と前記ネットワークノードのカバレッジ範囲内のネットワークトポロジ情報によりユーザ装置へ測定設定の関連情報を送信することは、
前記ネットワークノードが総合的に前記ユーザ装置の水平位置情報と高さ位置情報により前記ユーザ装置へ測定設定の関連情報を送信することであり、前記測定設定の関連情報は、
1つ又は複数の測定対象情報である第1組の情報、又は、
ユーザ装置のWIFI機能モジュールの開始指示、及び/又はWIFIアクセスポイント情報である第2組の情報、又は、
ユーザ装置のD2D機能モジュールの開始指示、及び/又はD2D関連測定の設定情報である第3組の情報、のいずれかの1組の情報を含む。
【００１６】
好ましくは、前記D2D関連測定の設定情報は、ユーザ装置がD2D発見又はD2D通信の送信及び/又は受信を実行するリソース、又は識別子、又はシーケンス関連の情報を含む。
【００１７】
好ましくは、前記測定対象情報は、
測定する必要がある、CDMA2000、E-UTRAN、UTRAN及びGERANを含むフォーマット情報、及び/又は、
測定する必要がある周波数点情報、及び/又は、
測定する必要がある周波数点での、セルの物理セル識別子情報を含むセル情報を含む。
【００１８】
本発明はセル発見方法を更に提供し、前記セル発見方法は、
ユーザ装置が、ネットワークノードが前記ユーザ装置の、高さ情報を含む位置情報により送信した測定設定の関連情報を受信することと、
前記ユーザ装置が前記測定設定の関連情報により対応する測定を実行することと、を含む。
【００１９】
好ましくは、前記ユーザ装置が、ネットワークノードが前記ユーザ装置の、高さ情報を含む位置情報により送信した測定設定の関連情報を受信するステップの前に、
前記ユーザ装置が高さ測位の測定を行い、その内蔵の気圧計又は気圧式高さ計を使用して気圧測定を行い、気圧測定値を得ることと、
前記ユーザ装置が、取得した校正データにより気圧測定値を校正して前記気圧測定値に対応する高さ値を得ることと、
前記ユーザ装置が前記高さ値を高さ位置情報とし、前記ネットワークノードに報告することと、を更に含む。
【００２０】
好ましくは、前記ユーザ装置が、ネットワークノードが前記ユーザ装置の位置情報により送信した測定設定の関連情報を受信するステップの前に、
前記ユーザ装置が高さ測位の測定を行い、具体的に、その内蔵の気圧計又は気圧式高さ計を使用して気圧測定を行い、気圧測定値を得ることと、
前記ユーザ装置が前記気圧測定値を高さ位置情報とし、ネットワークノードに報告し、それにより前記ネットワークノードがローカルの校正データにより前記気圧測定値を校正して前記気圧測定値に対応する高さ値を得ることと、を更に含む。
【００２１】
好ましくは、前記ユーザ装置が高さ測位の測定を行うステップの前に、
前記ユーザ装置が該ユーザ装置に対する高さ測位を自発的にトリガーして実行すること、又は、
前記ユーザ装置が、前記ネットワークノードがRRC専有シグナリングにより送信した指示を受信し、高さ測位をトリガーして実行すること、を更に含む。
【００２２】
好ましくは、前記ユーザ装置の高さ測位の測定及び/又は高さ測位情報の報告をトリガーするトリガーイベントは、前記ユーザ装置が既に室内環境に入ることを含み、前記高さ測位情報は気圧測定値及び/又は高さ値を含む。
【００２３】
好ましくは、前記ユーザ装置の高さ測位情報の報告をトリガーするトリガーイベントは、
現在気圧測定値又は高さ測定値と前回の気圧測定値又は高さ測定値とを比較する変化幅が予定値に達すること、
又は、現在気圧測定値又は高さ測定値が予定気圧値又は予定高さ値の範囲内にあること、を含む。
【００２４】
好ましくは、該方法は、
前記ユーザ装置は、
前記ユーザ装置が内蔵の温度計を使用して測定して現在温度値を得、そして予定規則により既に室内環境に入るかどうかを確定すること、又は、
前記ユーザ装置が前記ユーザ装置の水平位置情報により、前記ユーザ装置が既に室内環境に入るかどうかを確定すること、という方式により前記ユーザ装置が既に室内環境に入ることを確定することを更に含む。
【００２５】
好ましくは、該方法は、
前記ユーザ装置が、前記ユーザ装置が既に室内環境に入るイベントに基づいて前記ユーザ装置に対する水平測位をトリガーして実行することを更に含む。
【００２６】
本発明はセル発見方法を更に提供し、
ネットワークノードがユーザ装置へ高さ位置情報と関連する測定設定の関連情報を送信し、高さ測位結果と前記測定設定の関連情報により対応する測定を実行するように前記ユーザ装置に指示することを含む。
【００２７】
好ましくは、前記高さ位置情報と関連する測定設定の関連情報は、
1つ又は複数の測定対象情報、及び前記測定対象に対する測定をトリガーする条件情報である第4組の情報、
前記ユーザ装置のWIFI機能モジュールの開始指示、及び/又はWIFIアクセスポイント情報、及び前記WIFI機能モジュールの開始と前記WIFIアクセスポイントに対する測定をトリガーする条件情報である第5組の情報、
前記ユーザ装置のD2D機能モジュールの開始指示、及び/又はD2D関連測定の設定情報、及び前記D2D機能モジュールの開始とD2D関連の測定をトリガーする条件情報である第6組の情報、のいずれかの1組の情報を含む。
【００２８】
好ましくは、前記D2D関連測定の設定情報は、
前記ユーザ装置がD2D発見又はD2D通信の送信及び/又は受信を実行するリソース、又は識別子、又はシーケンス関連の情報を含む。
【００２９】
好ましくは、前記条件情報は、
気圧値又は高さ値の値範囲、又は、
気圧値又は高さ値の閾値を含む。
【００３０】
好ましくは、前記ネットワークノードがユーザ装置へ高さ位置情報と関連する測定設定の関連情報を送信することは、
前記ネットワークノードがそのカバレッジ範囲内のネットワークトポロジ情報によりユーザ装置へ高さ位置情報と関連する測定設定の関連情報を送信すること、又は、
前記ネットワークノードがそのカバレッジ範囲内のネットワークトポロジ情報と前記ユーザ装置の関連の常用情報によりユーザ装置へ高さ位置情報と関連する測定設定の関連情報を送信すること、又は、
前記ネットワークノードが前記ユーザ装置の水平位置情報とそのカバレッジ範囲内のネットワークトポロジ情報によりユーザ装置へ高さ位置情報と関連する測定設定の関連情報を送信すること、を含み、
前記ネットワークトポロジ情報は、前記ネットワークノードのカバレッジ範囲内のセル情報又はWIFIアクセスポイント情報又はD2Dネットワークノード情報、及び前記セル又はWIFIアクセスポイント又はD2Dネットワークノードの地理位置情報を少なくとも含み、
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計又はユーザにより設定されたWIFI又はD2D傾向情報である。
【００３１】
本発明はセル発見方法を更に提供し、
ユーザ装置が、ネットワークノードが送信した高さ位置情報と関連する測定設定の関連情報を受信することと、
前記ユーザ装置が高さ測位結果と前記測定設定の関連情報により対応する測定を実行することと、を含む。
【００３２】
好ましくは、前記ユーザ装置が高さ測位結果と測定設定の関連情報により対応する測定を実行することは、
前記ユーザ装置が内蔵の気圧計又は気圧式高さ計を使用して高さ測位を実行することと、
高さ測位結果が前記測定設定の関連情報における前記測定対象に対する測定、又はWIFI又は D2D関連の開始又は測定をトリガーする条件を満たすことを確定する場合、前記ユーザ装置が前記測定設定の関連情報における1つ又は複数の測定対象に対して測定を実行するか又はWIFI又はD2Dの対応する測定を実行するか、又はWIFI又はD2Dの関連機能モジュールを開始することと、を含む。
【００３３】
本発明はセル発見装置を更に提供し、
ユーザ装置の、高さ情報を含む位置情報を取得するように設定される位置情報取得モジュール、
前記ユーザ装置の位置情報によりユーザ装置へ測定設定の関連情報を送信し、前記測定設定の関連情報により対応する測定を実行するように前記ユーザ装置に指示するように設定される設定モジュール、を含む。
【００３４】
好ましくは、前記位置情報取得モジュールは、
自発的に前記ユーザ装置の位置情報を取得するように設定される第1取得ユニット、
ユーザ装置が報告した情報により前記ユーザ装置の位置情報を取得するように設定される第2取得ユニット、
前記ユーザ装置のユーザ入力情報により前記ユーザ装置の位置情報を取得するように設定される第3取得ユニット、
前記ユーザ装置のユーザ入力情報を検索することにより、前記ユーザ装置の位置情報を取得するように設定される第4取得ユニット、を含む。
【００３５】
好ましくは、該装置は、
RRC専有シグナリングにより、高さ測位を実行するように前記ユーザ装置に指示するように設定される測位指示モジュールを更に含む。
【００３６】
好ましくは、該装置は、
前記ユーザ装置が送信した現在温度値又は前記現在温度値及び前記予定規則により確定された既に室内環境に入るかどうかの指示情報を受信し、前記ユーザ装置が送信した現在温度値又は前記指示情報又は前記ユーザ装置の水平位置情報により、前記ユーザ装置が既に室内環境に入るかどうかを判定する、という方式により前記ユーザ装置が既に室内環境に入ることを確定するように設定される環境判定モジュールを更に含む。
【００３７】
好ましくは、前記測位指示モジュールは更に、前記環境判定モジュールは前記ユーザ装置が既に室内環境に入ることを確定した後、RRC専有シグナリングにより、該ユーザ装置が既に室内環境に入ることを前記ユーザ装置に指示するように設定される。
【００３８】
好ましくは、前記設定モジュールは、
前記ユーザ装置の位置情報とネットワークノードのカバレッジ範囲内のネットワークトポロジ情報によりユーザ装置へ測定設定の関連情報を送信するように設定される設定実行ユニットを含み、前記ネットワークトポロジ情報は、
前記ネットワークノードのカバレッジ範囲内のセル情報及び前記セルの地理位置情報、又は、
前記ネットワークノードのカバレッジ範囲内のWIFIアクセスポイント情報及び前記WIFIアクセスポイントの地理位置情報、又は、
前記ネットワークノードのカバレッジ範囲内のD2Dネットワークノード情報及び前記D2Dネットワークノードの地理位置情報を含む。
【００３９】
好ましくは、前記設定モジュールは、
設定方式により前記ネットワークトポロジ情報を取得すること、又は、
ユーザ装置が報告した近接指示と、前記報告を実行したユーザ装置の位置情報を合わせて前記ネットワークトポロジ情報を取得すること、という方式により前記カバレッジ範囲のネットワークトポロジ情報を取得するように設定されるトポロジ情報取得ユニットを更に含む。
【００４０】
本発明はセル発見装置を更に提供し、
ネットワークノードが前記ユーザ装置の、高さ情報を含む位置情報により送信した測定設定の関連情報を受信するように設定される設定情報受信モジュール、
前記測定設定の関連情報により対応する測定を実行するように設定される測定実行モジュール、を含む。
【００４１】
好ましくは、該装置は測位モジュールを更に含み、前記測位モジュールは、
高さ測位の測定を行い、ユーザ装置の内蔵の気圧計又は気圧式高さ計を使用して気圧測定を行い、気圧測定値を得るように設定される高さ測定ユニット、
取得された校正データにより気圧測定値を校正して前記気圧測定値に対応する高さ値を得るように設定される計算ユニット、
前記高さ値を高さ位置情報とし、前記ネットワークノードに報告するように設定される報告ユニット、を含む。
【００４２】
好ましくは、前記報告ユニットは更に、前記気圧測定値を高さ位置情報とし、ネットワークノードに報告し、それにより前記ネットワークノードがローカルの校正データにより前記気圧測定値を校正して前記気圧測定値に対応する高さ値を得るように設定される。
【００４３】
好ましくは、該装置は、
前記測位モジュールが該ユーザ装置に対する高さ測位を実行することを自発的にトリガーするか、又は、
前記ネットワークノードがRRC専有シグナリングにより送信した指示を受信し、該指示により前記測位モジュールが高さ測位を実行することをトリガーするように設定されるトリガーモジュールを更に含む。
【００４４】
好ましくは、前記トリガーモジュールは更に、トリガーイベントを検出する場合、前記ユーザ装置の高さ測位の測定及び/又は高さ測位情報の報告をトリガーするように設定され、前記トリガーイベントは前記ユーザ装置が既に室内環境に入ることを含み、前記高さ測位情報は気圧測定値及び/又は高さ値を含み、前記トリガーイベントは、
現在気圧測定値又は高さ測定値と前回の気圧測定値又は高さ測定値とを比較する変化幅が予定値に達すること、
又は、現在気圧測定値又は高さ測定値が予定気圧値又は予定高さ値の範囲内にあることを含む。
【００４５】
好ましくは、該装置は、
前記ユーザ装置の内蔵の温度計を使用して測定して現在温度値を得、そして予定規則により既に室内環境に入るかどうかを確定すること、又は、
前記ユーザ装置の水平位置情報により前記ユーザ装置が既に室内環境に入るかどうかを確定すること、という方式により前記ユーザ装置が既に室内環境に入ることを確定するように設定される環境判定モジュールを更に含む。
【００４６】
好ましくは、前記トリガーモジュールは更に、前記ユーザ装置が既に室内環境に入るイベントに基づいて前記測位モジュールが前記ユーザ装置に対する水平測位を実行することをトリガーするように設定され、
前記測位モジュールは、前記ユーザ装置に対する水平測位を実行するように設定される水平測位ユニットを更に含む。
【００４７】
本発明はセル発見装置を更に提供し、
ユーザ装置へ高さ位置情報と関連する測定設定の関連情報を送信し、高さ測位結果と前記測定設定の関連情報により対応する測定を実行するように前記ユーザ装置に指示するように設定される設定モジュールを含む。
【００４８】
好ましくは、前記設定情報送信モジュールは、
ネットワークノードのカバレッジ範囲内のネットワークトポロジ情報によりユーザ装置へ高さ位置情報と関連する測定設定の関連情報を送信するように設定される第1設定ユニット、
前記ネットワークノードのカバレッジ範囲内のネットワークトポロジ情報と前記ユーザ装置の関連の常用情報によりユーザ装置へ高さ位置情報と関連する測定設定の関連情報を送信するように設定される第2設定ユニット、を含み、
前記ネットワークトポロジ情報は、前記ネットワークノードのカバレッジ範囲内のセル情報又はWIFIアクセスポイント情報又はD2Dネットワークノード情報、及び前記セル又はWIFIアクセスポイント又はD2Dネットワークノードの地理位置情報を少なくとも含み、
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計又はユーザにより設定されたWIFI又はD2D傾向情報である。
【００４９】
本発明はセル発見装置を更に提供し、
ネットワークノードが送信した高さ位置情報と関連する測定設定の関連情報を受信するように設定される設定受信モジュール、
高さ測位結果と前記測定設定の関連情報により対応する測定を実行するように設定される測定実行モジュール、を含む。
【００５０】
好ましくは、前記測定実行モジュールは、
ユーザ装置の内蔵の気圧計又は気圧式高さ計を使用して高さ測位を実行するように設定される測定ユニット、
高さ測位結果が前記測定設定の関連情報における前記測定対象に対する測定又はWIFI又はD2D関連の開始又は測定をトリガーする条件を満たすことを確定する場合、前記測定設定の関連情報における1つ又は複数の測定対象に対して測定を実行するか又はWIFI又はD2Dの対応する測定を実行するか、又は前記ユーザ装置のWIFI又はD2D関連機能モジュールを開始するように設定される制御ユニット、を含む。
【発明の効果】
【００５１】
本発明の実施例はセル発見方法及び装置を提供し、ネットワークノードからUEへ測定設定の関連情報を送信し、更にUEは測定設定の関連情報により対応する測定を実行し、便利で効率的な小さなセル発見を実現し、小さなセルの発見過程においてタイムリーにトリガーされないとともに電力消耗が大きい問題を解決する。
【図面の簡単な説明】
【００５２】
【図１】図1は本発明の実施例1によるセル発見方法のフローチャートである。
【図２】図2は本発明の実施例2によるセル発見方法のフローチャートである。
【図３】図3は本発明の実施例3によるセル発見方法のフローチャートである。
【図４】図4は本発明の実施例4によるセル発見方法のフローチャートである。
【図５】図5は本発明の実施例5によるセル発見方法のフローチャートである。
【図６】図6は本発明の実施例6によるセル発見方法のフローチャートである。
【図７】図7は本発明の実施例7によるセル発見方法のフローチャートである。
【図８】図8は本発明の実施例8によるセル発見方法のフローチャートである。
【図９】図9は本発明の実施例9によるセル発見装置の構造模式図である。
【図１０】図10は本発明の実施例9による他種のセル発見装置の構造模式図である。
【図１１】図11は本発明の実施例10によるセル発見装置の構造模式図である。
【図１２】図12は本発明の実施例10による他種のセル発見装置の構造模式図である。
【発明を実施するための形態】
【００５３】
関連技術を採用してUEをタイムリーにトリガーして異なる周波数の測定を行って、小さなセルを発見することができず、更にUEを小さなセルに効果的にバイパスすることができず、オペレータネットワークのスペクトル効率に影響を与え、且つUEが小さなセルの発見を実行する過程に必要な時間は長く、小さなセルの発見過程に必要なUE電力消耗は大きい。
【００５４】
上記問題を解決するために、本発明の実施例はセル発見方法及び装置を提供し、ネットワークノードからUEの位置情報を取得し、位置情報は水平位置情報及び/又は高さ位置情報を含み、且つUEの位置情報によりUEに測定を設定することができ、それによりUEがタイムリーに効果的に対応する測定を実行するか又はWIFI又はD2D機能モジュールを開始することにより付近のセル又はWIFIアクセスポイント又は近接するUEを発見する。特に小さなセル密集配備に対する室内ホットスポットのカバレッジシーンでは、本発明の実施例による技術的手段によりUEをタイムリーにトリガーして測定することにより付近の小さなセルを発見し、更にネットワークによりUEを小さなセルにバイパスすることができ、オペレータネットワークのスペクトル効率を効果的に向上させることができ、且つUEが測定する必要があるセル又は周波数点数をできるだけ減少することができ、UEが小さなセルの発見を実行する過程に必要な時間を効果的に減少することができ、小さなセルの発見過程に必要なUEの電力消耗を減少する。本発明の実施例において、UEに低コストの気圧計又は気圧式高さ計を内蔵するか又はジャイロ式高さ計に基づいて、UEの高さ測位を便利且つ急速に実行することに用いられる。
【００５５】
本発明の実施例が提供する技術的手段はセルラ通信システムに適用されることができ、該通信システムは基地局、ユーザ装置（UE）、移動管理エンティティ（MME）を少なくとも含む。ユーザ装置はセルラ電話、無線電話、会議開始プロトコル（SIP）電話、無線ローカルループステーション（WLL）、パーソナルデジタルアシスタント（PDA）、無線接続機能を有するハンドヘルド式デバイス、計算デバイス、又は無線モデムに接続された他の処理デバイスであってよく、本発明の実施例において、UEをユーザ装置とする例として説明する。基地局は無線端末との通信に用いることができ、アクセスポイント、ノードB又は他の用語と称してもよい。基地局と無線端末との間にセルラ通信を行うことができ、セルラ通信はGSM（登録商標）、CDMA、WCDMA（登録商標）、TD-SCDMA、UMTS、LTE及び他のセルラーネットワーク技術を使用する通信を含むことができる。
【００５６】
以下、図面を合わせて本発明の実施例を詳しく説明する。なお、競合しない場合に、本願における実施例及び実施例における特徴を互いに任意に組み合わせることができる。
【００５７】
まず、図面を合わせて、本発明の実施例1を説明する。
【００５８】
本発明の実施例はセル発見方法を提供し、該方法を使用してセル発見を完成するプロセスを図1に示す。
【００５９】
まず、ユーザ装置に水平測位を行うことができ、水平測位のプロセスは以下の通りである。
【００６０】
ステップ101、ユーザ装置が既に室内環境に入るかどうかを判断する。
【００６１】
該ステップはユーザ装置が自発的に判断することにより実現されてもよく、ネットワークノードの判断により実現されてもよい。
【００６２】
ユーザ装置が既に室内環境に入るかどうかを自発的に判断する場合、
前記ユーザ装置が内蔵の温度計を使用して測定して現在温度値を得、そして予定規則により既に室内環境に入るかどうかを確定すること、又は、
前記ユーザ装置が前記ユーザ装置の水平位置情報により前記ユーザ装置が既に室内環境に入るかどうかを確定すること、という方式により実現することができる。
【００６３】
ネットワークノードで判断する場合、ネットワークノードは、
1、前記ネットワークノードが、前記ユーザ装置が送信した現在温度値又は前記現在温度値及び前記予定規則により確定された既に室内環境に入るかどうかの指示情報を受信すること、
2、前記ネットワークノードが、前記ユーザ装置が送信した現在温度値又は指示情報又は前記ユーザ装置の水平位置情報により、前記ユーザ装置が既に室内環境に入るかどうかを判定すること、という方式により前記ユーザ装置が既に室内環境に入ることを確定することができる。
【００６４】
ステップ102、ユーザ装置が既に室内環境に入ることを確定した後、前記ユーザ装置に対する水平測位をトリガーして実行する。
【００６５】
ステップ101において、ユーザ装置は既に室内環境に入るかどうかを自発的に判断する場合、ユーザ装置は自発的に前記ユーザ装置が既に室内環境に入るイベントに基づいて前記ユーザ装置に対する水平測位をトリガーして実行する。
ステップ101において、ネットワークはユーザ装置が既に室内環境に入るかどうかを判断する場合、ネットワークノードは前記ユーザ装置が既に室内環境に入ることを確定した後、RRC専有シグナリングにより該ユーザ装置が既に室内環境に入るようにユーザ装置に指示し、該ユーザ装置に対する水平測位をトリガーする。ユーザ装置はネットワークノードが送信したRRC専有シグナリングを受信し、前記ユーザ装置が室内環境に入るイベントに基づいて前記ユーザ装置に対する水平測位をトリガーして実行する。
【００６６】
ステップ101〜ステップ102は選択可能なステップであり、即ち本発明の実施例において、ユーザ装置に対して水平測位を実行しなくてもよい。ユーザ装置が既に室内環境に入るかどうかを判断することは、前記ユーザ装置の高さ測位の測定及び/又は高さ測位情報の報告をトリガーするトリガーイベントとしてもよい。
【００６７】
以下、位置情報を合わせて設定を完成し、且つ対応する測定を行う過程を説明する。
【００６８】
ステップ103、ユーザ装置に対する高さ測位をトリガーする。
【００６９】
該ステップにおいて、具体的に、ユーザ装置は該ユーザ装置に対する高さ測位を自発的に実行してもよく、ネットワークノードがRRC専有シグナリングにより該ユーザ装置へ送信した指示により高さ測位をトリガーして実行してもよい。
【００７０】
ステップ104、前記ユーザ装置は高さ測位の測定を行う。
【００７１】
該ステップは具体的にユーザ装置の内蔵の気圧計又は気圧式高さ計を使用して気圧測定を行い、気圧測定値を得ることである。
【００７２】
ステップ105、ネットワークノードはユーザ装置の、高さ情報を含む位置情報を取得する。
【００７３】
該ステップにおいて、ネットワークノードは、
前記ネットワークノードが前記ユーザ装置の位置情報を自発的に取得すること、又は、
前記ネットワークノードが、ユーザ装置が報告した情報により前記ユーザ装置の位置情報を取得すること、又は、
前記ネットワークノードが前記ユーザ装置のユーザ入力情報により前記ユーザ装置の位置情報を取得すること、又は、
前記ネットワークノードが前記ユーザ装置のユーザ入力情報を検索することにより、前記ユーザ装置の位置情報を取得すること、という方式により位置情報を取得することができる。
【００７４】
前記ネットワークノードは前記ユーザ装置の位置情報によりユーザ装置へ測定設定の関連情報を送信し、前記測定設定の関連情報により対応する測定を実行するように前記ユーザ装置に指示する。
【００７５】
位置情報を取得する過程において、ネットワークノードとユーザ装置とのインタラクティブ方式が2種あり、以下、それぞれこの2種のインタラクティブ方式を説明する。
【００７６】
方式1
1、前記ユーザ装置が高さ測位の測定を行い、具体的に、その内蔵の気圧計又は気圧式高さ計を使用して気圧測定を行い、気圧測定値を得ること、
2、前記ユーザ装置は取得された校正データにより気圧測定値を校正して前記気圧測定値に対応する高さ値を得ること、
3、前記ユーザ装置が前記高さ値を高さ位置情報とし、前記ネットワークノードに報告すること。
【００７７】
方式2
1、前記ユーザ装置が高さ測位の測定を行い、具体的に、その内蔵の気圧計又は気圧式高さ計を使用して気圧測定を行い、気圧測定値を得ること、
2、前記ユーザ装置が前記気圧測定値を高さ位置情報とし、ネットワークノードに報告し、それにより前記ネットワークノードがローカルの校正データにより前記気圧測定値を校正して前記気圧測定値に対応する高さ値を得ること。
【００７８】
前記ユーザ装置の高さ測位の測定及び/又は高さ測位情報の報告をトリガーするトリガーイベントは、前記ユーザ装置が既に室内環境に入ることを含み、前記高さ測位情報は気圧測定値及び/又は高さ値を含む。
【００７９】
前記ユーザ装置の高さ測位情報の報告をトリガーするトリガーイベントは、
現在気圧測定値又は高さ測定値と前回の気圧測定値又は高さ測定値とを比較する変化幅が予定値に達すること、
又は、現在気圧測定値又は高さ測定値は予定気圧値又は予定高さ値の範囲内にあることを含む。
【００８０】
ステップ106、前記ネットワークノードは前記ユーザ装置の位置情報によりユーザ装置へ測定設定の関連情報を送信する。
【００８１】
該ステップにおいて、ネットワークノードは測定設定の関連情報を送信することにより、前記測定設定の関連情報により対応する測定を実行するように前記ユーザ装置に指示する。
【００８２】
具体的に、前記ネットワークノードは前記ユーザ装置の位置情報と前記ネットワークノードのカバレッジ範囲内のネットワークトポロジ情報によりユーザ装置へ測定設定の関連情報を送信し、前記ネットワークトポロジ情報は、
前記ネットワークノードのカバレッジ範囲内のセル情報及び前記セルの地理位置情報、又は、
前記ネットワークノードのカバレッジ範囲内のWIFIアクセスポイント情報及び前記WIFIアクセスポイントの地理位置情報、又は、
前記ネットワークノードのカバレッジ範囲内のD2Dネットワークノード情報及び前記D2Dネットワークノードの地理位置情報、を含む。
【００８３】
前記ネットワークノードは、
前記ネットワークノードが設定方式により前記ネットワークトポロジ情報を取得すること、又は、
前記ネットワークノードが、ユーザ装置が報告した近接指示と、前記報告を実行したユーザ装置の位置情報を合わせて前記ネットワークトポロジ情報を取得すること、という方式により前記カバレッジ範囲のネットワークトポロジ情報を取得する。
【００８４】
前記ネットワークノードが前記ユーザ装置の位置情報と前記ネットワークノードのカバレッジ範囲内のネットワークトポロジ情報によりユーザ装置へ測定設定の関連情報を送信することは、具体的に、
前記ネットワークノードが総合的に前記ユーザ装置の水平位置情報と高さ位置情報により前記ユーザ装置へ測定設定の関連情報を送信することであり、前記測定設定の関連情報は、
1つ又は複数の測定対象情報である第1組の情報、又は、
ユーザ装置のWIFI機能モジュールの開始指示、及び/又はWIFIアクセスポイント情報である第2組の情報、又は、
ユーザ装置のD2D機能モジュールの開始指示、及び/又はD2D関連測定の設定情報である第3組の情報、のいずれかの1組の情報を含む。
【００８５】
前記D2D関連測定の設定情報は、ユーザ装置がD2D発見又はD2D通信の送信及び/又は受信を実行するリソース、又は識別子、又はシーケンス関連の情報を含む。
【００８６】
前記測定対象情報は、
測定する必要がある、CDMA2000、E-UTRAN、UTRAN及びGERANを含むフォーマット情報、及び/又は、
測定する必要がある周波数点情報、及び/又は、
測定する必要がある周波数点での、セルの物理セル識別子情報を含むセル情報、を含む。
【００８７】
ステップ107、ユーザ装置は、ネットワークノードが前記ユーザ装置の、高さ情報を含む位置情報により送信した測定設定の関連情報を受信する。
【００８８】
ステップ108、前記ユーザ装置は前記測定設定の関連情報により対応する測定を実行する。
【００８９】
以下、図面を合わせて、本発明の実施例2を説明する。
【００９０】
本発明の実施例はセル発見方法を提供し、基地局をネットワークノードとし、UEをユーザ装置とすることを例として説明する。本発明の実施例が提供する技術的手段において、UEの水平位置情報によりUEが室内環境に入るかどうかの方式を確定し、基地局は水平測位と高さ測位結果によりUEに測定する必要がある対象を設定する。該方法を使用して測定設定を完成するプロセスは図2に示すように、以下のステップを含む。
【００９１】
ステップ201、UEの水平測位を実行する。
【００９２】
該ステップは、
1）全地球航法衛星に基づく測位方法（GNSS又はA-GNSS）、
2）強化されたセル識別子（E-CID）、OTDOA（ダウンリンク到達時間観測差）、UTDOA（アップリンク到達時間観測差）を含む、無線ネットワークに基づく測位技術、という方法を採用することができる。
【００９３】
上記水平測位は周期的にUEでトリガーされてもよく、又はユーザでトリガーされてもよく、更にネットワークで起動されてもよく、例えばネットワークはUEの測定報告により該UEのおおよその地理位置を分かった後起動する。
【００９４】
ステップ202、UEは水平測位結果を取得した後地図情報を合わせて既に室内環境に入るかどうかを確定するか、又は基地局はUEの水平位置情報を取得した後地図情報を合わせてUEが既に室内環境に入るかどうかを確定する。既に入ると、ステップ203を実行する。そうでなければ、高さ測位をトリガーせず、現在のプロセスを終了する。
【００９５】
ステップ203、UEは既に室内環境に入るかどうかを確定すると、UEが既に室内環境に入ることを確定する場合に自発的に高さ測位をトリガーして実行することができ、基地局はUEが既に室内環境に入るかどうかを判断すると、基地局でUEの高さ測位をトリガーすることができ、具体的に、基地局はRRC専有シグナリングによりUEに指示することができる。
【００９６】
UEは内蔵の気圧計又は気圧式高さ計を使用するか又はジャイロ式高さ計に基づいて現在気圧値を測定することにより高さ測位を実行する。UEは測定を完成した後高さ位置情報を基地局に報告する。高さ位置情報は気圧値又は高さ値であってよい。
【００９７】
UEが報告した高さ位置情報は高さ値であると、UEは報告する前に校正データにより気圧値を対応する高さ値に校正する必要がある。UEは、
ユーザの入力方式、又はOTA方式、又は基地局から受信されたサービス基地局及び/又は隣接基地局の気圧値及び対応する高さ値、という方式により校正データを取得することができる。
【００９８】
UEが報告した高さ位置情報は気圧値であると、基地局はローカルの校正データにより気圧値を対応する高さ値に校正する。また、基地局は更にUEのユーザ入力情報によりUEの位置情報を取得するか、又は基地局はユーザ入力情報を検索することにより該UEの位置情報を取得することができる。
【００９９】
ステップ204、基地局はUEの水平測位及び高さ測位結果を取得した後、ネットワークトポロジ情報によりUEの測定設定の関連情報を確定することができる。
【０１００】
ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。
【０１０１】
基地局は設定方式により該ネットワークトポロジ情報を取得することができ、又は基地局は更に他のUE報告近接指示の方式により該ネットワークトポロジ情報を取得してもよい。具体的に、基地局は他のUEが報告した近接指示情報を記録して統計することができ、且つ該報告されたUEの位置情報を合わせてネットワークトポロジ情報を取得する。
【０１０２】
基地局がRRC専有シグナリング（例えば、RRC再設定メッセージ）によりUEへ測定設定の関連情報を送信することは、以下の1）〜3）を含む。
1）1つ又は複数の測定対象情報。具体的に、測定対象情報はフォーマット、周波数点情報、セル情報等を含む。フォーマットは、CDMA2000、E-UTRAN、UTRAN、GERAN等を含み、セル情報は物理セル識別子情報を含む。
2）又は、UEのWIFI機能モジュールの開始指示、及び/又はWIFIアクセスポイント情報。
3）又は、UEのD2D機能モジュールの開始指示、及び/又はD2D関連測定の設定情報。D2D関連測定の設定情報は、UEがD2D発見又はD2D通信の送信及び/又は受信を実行するリソース、又は識別子、又はシーケンス関連の情報を含む。
【０１０３】
なお、基地局は更にUEの位置情報又は温度測定情報によりUEが室内環境から離れるか又は特定セル/WIFIアクセスポイント/D2Dネットワークから離れることを確定することができると、UEに送信した測定設定の関連情報は測定対象の削除、又はWIFI機能モジュールのオフ指示、又はD2D機能モジュールのオフ指示を含む。
【０１０４】
ステップ205、UEは基地局が送信した測定の設定情報により測定する必要がある測定対象を測定し、又は対応するWIFI又はD2D機能モジュールを開始し、又は対応するWIFI又はD2D関連測定を実行し、それにより対応するセル又はWIFIアクセスポイント又は近接UEを発見する。
【０１０５】
ステップ206、UEは自身の高さ測位測定により高さ情報の報告の予定条件を満たすかどうかを判断する。例えば、現在気圧測定値と前回の気圧測定値とを比較する変化幅は基地局が設定した予定値に達する。又は、現在気圧測定値は基地局が設定した予定気圧値範囲内にある。満たすと、ステップ207を実行し、そうでなければ、ステップ205に戻る。
【０１０６】
ステップ207、予定条件を満たすと、UEの高さ情報の報告をトリガーし、即ちUEは現在高さ位置情報を基地局に報告する。高さ位置情報は気圧値又は高さ値であってよい。UEが報告した高さ位置情報は高さ値であると、UEは報告する前に校正データにより気圧値を対応する高さ値に校正する必要がある。
【０１０７】
UEは、ユーザ入力の方式、又はOTA方式、又は基地局から受信されたサービス基地局及び/又は隣接基地局の気圧値及び対応する高さ値、という方式により校正データを取得することができる。UEが報告した高さ位置情報は気圧値であると、基地局はローカルの校正データにより気圧値を対応する高さ値に校正する。基地局はUEの高さ情報を取得した後、続いて上記ステップ204を実行し、ここで繰り返して説明しない。
【０１０８】
以下、図面を合わせて、本発明の実施例3を説明する。
【０１０９】
本発明の実施例はセル発見方法を提供し、基地局をネットワークノードとし、UEをユーザ装置とすることを例として説明する。本発明の実施例が提供する技術的手段において、温度測定によりUEが室内環境に入るかどうかを確定する方式で、基地局が水平測位と高さ測位結果によりUEに測定する必要がある対象を設定する方法は、本発明が提供するセル発見方法を使用して測定を完成するようにUEを制御するプロセスは図3に示すように、以下のステップを含む。
【０１１０】
ステップ301、UEは温度測定を実行する。
【０１１１】
ステップ302、UE又は基地局は該UEが既に室内環境に入るかどうかを判断する。UEが判断を実行する場合に、UEは内蔵の温度計を使用して現在環境の温度値を測定し、そして予定規則によりUEが既に室内環境に入るかどうかを確定し、例えば、予定規則は現在温度測定値と前回の温度値とを比較し、変化幅がある予定値に達することであってよい。判断結果が室内環境に入らないことであると、水平測位又は高さ測位をトリガーせず、現在のプロセスを終了し、UEが既に室内環境に入ると判断すると、ステップ303を実行する。
【０１１２】
基地局が判断を実行する場合に、UEは現在温度測定値又は現在温度値及び予定規則により確定された室内環境に入るかどうかの指示情報を基地局に送信することができ、前記UEが既に室内環境に入るかどうかを基地局が確定することに用いる。
【０１１３】
ステップ303、UEは既に室内環境に入るかどうかを確定すると、UEは既に室内環境に入ることを確定する場合に水平測位及び/又は高さ測位を自発的にトリガーして実行することができる。基地局はUEが室内環境に入るかどうかを判断すると、基地局はUEの水平測位及び/又は高さ測位をトリガーすることができ、具体的に、基地局はRRC専有シグナリングによりUEに指示することができる。なお、UEは水平測位と高さ測位を実行する必要があると、水平測位と高さ測位の順序は限定されたものではない。
【０１１４】
UEの水平測位は、
1）全地球航法衛星に基づく測位方法（GNSS又はA-GNSS）、
2）強化されたセル識別子（E-CID）、OTDOA（ダウンリンク到達時間観測差）、UTDOA（アップリンク到達時間観測差）を含む、無線ネットワークに基づく測位技術、という方法を採用することができる。
【０１１５】
UEは内蔵の気圧計又は気圧式高さ計を使用するか又はジャイロ式高さ計に基づいて現在気圧値を測定して高さ測位を実行する。UEが測定を完成した後高さ位置情報を基地局に報告する。高さ位置情報は気圧値又は高さ値であってよい。UEが報告した高さ位置情報は高さ値であると、UEは報告する前に校正データにより気圧値を対応する高さ値に校正する必要がある。UEは、ユーザ入力の方式、又はOTA方式、又は基地局から受信されたサービス基地局及び/又は隣接基地局の気圧値及び対応する高さ値、という方式により校正データを取得することができる。UEが報告した高さ位置情報は気圧値であると、基地局はローカルの校正データにより気圧値を対応する高さ値に校正する。
【０１１６】
また、基地局は更にUEのユーザ入力情報によりUEの位置情報を取得することができ、又は基地局はユーザ入力情報を検索することにより該UEの位置情報を取得することができる。
【０１１７】
ステップ304、基地局はUEの水平測位及び高さ測位結果を取得した後、ネットワークトポロジ情報によりUEの測定設定の関連情報を確定することができる。ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。基地局は設定方式により該ネットワークトポロジ情報を取得するか、又は基地局は更に他のUEが近接指示を報告する方式により該ネットワークトポロジ情報を取得することができる。具体的に、基地局は他のUEが報告した近接指示情報を記録して統計することができ、且つ該報告されたUEの位置情報を合わせてネットワークトポロジ情報を取得する。
【０１１８】
基地局がRRC専有シグナリング（例えば、RRC再設定メッセージ）によりUEへ測定設定の関連情報を送信することは、以下の1）〜3）を含む。
1）1つ又は複数の測定対象情報。具体的に、測定対象情報はフォーマット、周波数点情報、セル情報等を含む。フォーマットは、CDMA2000、E-UTRAN、UTRAN、GERAN等を含み、セル情報は物理セル識別子情報を含む。
2）又は、UEのWIFI機能モジュールの開始指示、及び/又はWIFIアクセスポイント情報。
3）又は、UEのD2D機能モジュールの開始指示、及び/又はD2D関連測定の設定情報。D2D関連測定の設定情報は、UEがD2D発見又はD2D通信の送信及び/又は受信を実行するリソース、又は識別子、又はシーケンス関連の情報を含む。
【０１１９】
なお、基地局は更にUEの位置情報又は温度測定情報によりUEが室内環境から離れるか又は特定セル/WIFIアクセスポイント/D2Dネットワークから離れることを確定することができると、UEに送信した測定設定の関連情報は測定対象の削除、又はWIFI機能モジュールのオフ指示、又はD2D機能モジュールのオフ指示を含む。
【０１２０】
ステップ305、UEは基地局が送信した測定の設定情報により測定する必要がある測定対象を測定し、又は対応するWIFI又はD2D機能モジュールを開始し、又は対応するWIFI又はD2D関連測定を実行し、それにより対応するセル又はWIFIアクセスポイント又は近接UEを発見する。
【０１２１】
ステップ306、UEは自身の高さ測位測定により高さ情報の報告の予定条件を満たすかどうかを判断する。例えば、現在気圧測定値と前回の気圧測定値とを比較する変化幅は基地局が設定した予定値に達するか、又は、現在気圧測定値は基地局が設定した予定気圧値範囲内にある。報告条件を満たさないと、ステップ305に戻る。
【０１２２】
ステップ307、予定条件を満たすと、UEの高さ情報の報告をトリガーし、即ちUEは現在高さ位置情報を基地局に報告する。高さ位置情報は気圧値又は高さ値であってよい。UEが報告した高さ位置情報は高さ値であると、UEは報告する前に校正データにより気圧値を対応する高さ値に校正する必要がある。UEは、ユーザ入力の方式、又はOTA方式、又は基地局から受信されたサービス基地局及び/又は隣接基地局の気圧値及び対応する高さ値、という方式により校正データを取得することができる。UEが報告した高さ位置情報は気圧値であると、基地局はローカルの校正データにより気圧値を対応する高さ値に校正する。基地局はUEの高さ情報を取得した後、続いて上記ステップ304を実行し、ここで繰り返して説明しない。
【０１２３】
以下、図面を合わせて、本発明の実施例4を説明する。
【０１２４】
本発明の実施例はセル発見方法を提供し、基地局をネットワークノードとし、UEをユーザ装置とすることを例として説明する。本発明の実施例が提供する技術的手段において、基地局は水平測位と高さ測位結果によりUEに測定する必要がある対象を設定する。本発明の実施例が提供するセル発見方法を使用して測定を完成するようにUEを制御するプロセスは図4に示すように、以下のステップを含む。
【０１２５】
ステップ401、UEは高さ測位及び報告を実行する。具体的に、UEは内蔵の気圧計又は気圧式高さ計を使用するか又はジャイロ式高さ計に基づいて現在気圧値を測定して高さ測位を実行する。UEは測定を完成した後高さ位置情報を基地局に報告することができる。高さ位置情報は気圧値又は高さ値であってよい。UEは周期的に高さ測位及び報告を実行してもよく、イベントに基づいてトリガーするか又はイベントトリガーに基づいて周期的に高さ測位及び報告を実行してもよい。例えば、トリガーイベントは、現在気圧測定値と前回の気圧測定値とを比較する変化幅が予定値に達するか、又は、現在気圧測定値が予定気圧値範囲内にあることであってよい。
【０１２６】
UEが報告した高さ位置情報は高さ値であると、UEは報告する前に校正データにより気圧値を対応する高さ値に校正する必要がある。UEは、ユーザ入力の方式、又はOTA方式、又は基地局から受信されたサービス基地局及び/又は隣接基地局の気圧値及び対応する高さ値、という方式により校正データを取得することができる。UEが報告した高さ位置情報は気圧値であると、基地局はローカルの校正データにより気圧値を対応する高さ値に校正する。
【０１２７】
ステップ402、UEは高さ測位結果を取得した後、予定規則、又はユーザ入力情報、又は他の測位結果により既に室内環境に入るかどうかを確定することができる。又は基地局はUEの高さ位置情報を取得した後、予定規則及び/又はUEのおよその位置によりUEが既に室内環境に入るかどうかを確定する。該ステップは選択可能なステップである。UEが既に室内環境に入ると、ステップ403を実行し、UEが室内環境に入らないと、水平測位をトリガーせず、現在のプロセスを終了する。
【０１２８】
ステップ403、UEは室内環境に入るかどうかを確定すると、UEは室内環境に入ることを確定する場合に水平測位を自発的にトリガーして実行することができ、基地局はUEが既に室内環境に入るかどうかを判断すると、基地局はUEの水平測位をトリガーすることができ、具体的に、基地局はRRC専有シグナリングによりUEに指示することができる。
【０１２９】
UEの水平測位を実行することは、
1）全地球航法衛星に基づく測位方法（GNSS又はA-GNSS）、
2）強化されたセル識別子（E-CID）、OTDOA（ダウンリンク到達時間観測差）、UTDOA（アップリンク到達時間観測差）を含む、無線ネットワークに基づく測位技術、という方法を採用することができる。
【０１３０】
また、基地局は更にUEのユーザ入力情報によりUEの位置情報を取得することができ、又は基地局はユーザ入力情報を検索することにより該UEの位置情報を取得することができる。
【０１３１】
ステップ404、基地局はUEの水平測位及び高さ測位結果を取得した後、ネットワークトポロジ情報によりUEの測定設定の関連情報を確定することができる。ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。基地局は設定方式により該ネットワークトポロジ情報を取得するか、又は基地局は更に他のUEが近接指示を報告する方式により該ネットワークトポロジ情報を取得することができる。具体的に、基地局は他のUEが報告した近接指示情報を記録して統計することができ、且つ該報告されたUEの位置情報を合わせてネットワークトポロジ情報を取得する。
【０１３２】
基地局はRRC専有シグナリング（例えば、RRC再設定メッセージ）によりUEへ測定設定の関連情報を送信することは、以下の1）〜3）を含む。
1）1つ又は複数の測定対象情報。具体的に、測定対象情報はフォーマット、周波数点情報、セル情報等を含む。フォーマットは、CDMA2000、E-UTRAN、UTRAN、GERAN等を含み、セル情報は物理セル識別子情報を含む。
2）又は、UEのWIFI機能モジュールの開始指示、及び/又はWIFIアクセスポイント情報。
3）又は、UEのD2D機能モジュールの開始指示、及び/又はD2D関連測定の設定情報。D2D関連測定の設定情報は、UEがD2D発見又はD2D通信の送信及び/又は受信を実行するリソース、又は識別子、又はシーケンス関連の情報を含む。
【０１３３】
なお、基地局は更にUEの位置情報又は温度測定情報によりUEが室内環境から離れるか又は特定セル/WIFIアクセスポイント/D2Dネットワークから離れることを確定することができると、UEに送信した測定設定の関連情報は測定対象の削除、又はWIFI機能モジュールのオフ指示、又はD2D機能モジュールのオフ指示を含む。
【０１３４】
ステップ405、UEは基地局が送信した測定の設定情報により測定する必要がある測定対象を測定し、又は対応するWIFI又はD2D機能モジュールを開始し、又は対応するWIFI又はD2D関連測定を実行し、それにより対応するセル又はWIFIアクセスポイント又は近接UEを発見する。
【０１３５】
ステップ406、UEは自身の高さ測位測定により高さ情報の報告の予定条件を満たすかどうかを判断する。例えば、現在気圧測定値と前回の気圧測定値とを比較する変化幅は基地局が設定した予定値に達するか、又は、現在気圧測定値は基地局が設定した予定気圧値範囲内にある。満たさないと、ステップ405に戻る。
【０１３６】
ステップ407、予定条件を満たすと、UEの高さ情報の報告をトリガーし、即ちUEは現在高さ位置情報を基地局に報告する。高さ位置情報は気圧値又は高さ値であってよい。UEが報告した高さ位置情報は高さ値であると、UEは報告する前に校正データにより気圧値を対応する高さ値に校正する必要がある。UEは、ユーザ入力の方式、又はOTA方式、又は基地局から受信されたサービス基地局及び/又は隣接基地局の気圧値及び対応する高さ値、という方式により校正データを取得することができる。UEが報告した高さ位置情報は気圧値であると、基地局はローカルの校正データにより気圧値を対応する高さ値に校正する。基地局はUEの高さ情報を取得した後、続いて上記ステップ404を実行し、ここで繰り返して説明しない。
【０１３７】
以下、図面を合わせて、本発明の実施例5を説明する。
【０１３８】
本発明の実施例はセル発見方法を提供し、基地局をネットワークノードとし、UEをユーザ装置とすることを例として説明する。本発明の実施例が提供する技術的手段において、UEの水平位置情報によりUEが室内環境に入るかどうかを確定する方式で、基地局はUEの水平測位結果によりUEに測定対象及び関連の高さ情報を設定し、該方法を使用して測定を完成するようにUEを制御するプロセスは図5に示すように、以下のステップを含む。
【０１３９】
ステップ501、UEの水平測位を実行する。
1）全地球航法衛星に基づく測位方法（GNSS又はA-GNSS）、
2）強化されたセル識別子（E-CID）、OTDOA（ダウンリンク到達時間観測差）、UTDOA（アップリンク到達時間観測差）を含む、無線ネットワークに基づく測位技術、という方法を採用することができる。
【０１４０】
上記水平測位は周期的にUEでトリガーされ、又はユーザでトリガーされてもよく、ネットワークで起動されてもよく、例えばネットワークはUEの測定報告により該UEのおおよその地理位置を分かった後起動する。
【０１４１】
ステップ502、基地局はUEの水平位置情報を取得した後地図情報を合わせてUEが既に室内環境に入るかどうかを確定する。又はUEは水平測位結果を取得した後地図情報を合わせて室内環境に入るかどうかを確定することができる。UEは自身が室内環境に入ると判断すると、水平位置情報を基地局に報告することができる。室内環境に入らないと、続いて判断する。
【０１４２】
また、基地局は更にUEのユーザ入力情報によりUEの位置情報を取得することができ、又は基地局はユーザ入力情報を検索することにより該UEの位置情報を取得することができる。
【０１４３】
ステップ503、UE又は基地局はUEが室内環境に入ると判断すると、基地局は該UEの水平位置情報を取得した後、ネットワークトポロジ情報を合わせて該UEの水平位置を確定し、且つUEの測定設定の関連情報を確定する。ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。基地局は設定方式により該ネットワークトポロジ情報を取得するか、又は基地局は更に他のUEが近接指示を報告する方式により該ネットワークトポロジ情報を取得することができる。具体的に、基地局は他のUEが報告した近接指示情報を記録して統計することができ、且つ該報告されたUEの位置情報を合わせてネットワークトポロジ情報を取得する。
【０１４４】
基地局はRRC専有シグナリング（例えば、RRC再設定メッセージ）によりUEへ測定設定の関連情報を送信することができる。具体的に、測定設定の関連情報は、以下の1）〜3）を含む。
1）1つ又は複数の測定対象情報、及び/又は前記測定対象に対応する高さ値又は気圧値。測定対象情報はフォーマット、周波数点、物理セル識別子等を含む。フォーマットは、CDMA2000、E-UTRAN、UTRAN、GERAN等を含む。
2）又は、UEのWIFI機能モジュールの開始指示、及び/又はWIFIアクセスポイント情報、及び/又は該WIFIアクセスポイント情報に対応する高さ値又は気圧値。
3）又は、UEのD2D機能モジュールの開始指示、及び/又はD2D関連測定の設定情報、及び/又は該D2D関連測定の設定情報に対応する高さ値又は気圧値。D2D関連測定の設定情報は、UEがD2D発見又はD2D通信の送信及び/又は受信を実行するリソース、又は識別子、又はシーケンス関連の情報を含む。
【０１４５】
なお、基地局は更にUEの位置情報又は温度測定情報によりUEが室内環境から離れるか又は特定セル/WIFIアクセスポイント/D2Dネットワークから離れることを確定することができると、UEに送信した測定設定の関連情報は測定対象の削除、又はWIFI機能モジュールのオフ指示、又はD2D機能モジュールのオフ指示を含む。
【０１４６】
ステップ504、UEは基地局が送信した測定設定の関連情報と高さ測位結果により測定する必要がある測定対象を確定するとともに、対応する測定を実行し、又は対応するWIFI又はD2D機能モジュールを開始し、又は対応するWIFI又はD2D関連測定を実行し、それにより対応するセル又はWIFIアクセスポイント又は近接UEを発見する。例えば、測定設定の関連情報は1つ又は複数の測定対象情報及び該測定対象に対応する高さ値又は気圧値を含む場合、UEは内蔵の気圧計又は気圧式高さ計又はジャイロ式高さ計に基づいて測定して得られた気圧値又は高さ値及び測定設定の関連情報により、得られた測定値に対応する1つ又は複数の測定する必要がある測定対象を確定し、そして測定する必要がある測定対象に対して、対応する測定を実行する。
【０１４７】
以下、図面を合わせて、本発明の実施例6を説明する。
【０１４８】
本発明の実施例はセル発見方法を提供し、基地局をネットワークノードとし、UEをユーザ装置とすることを例として説明する。本発明の実施例が提供する技術的手段において、温度測定によりUEが室内環境に入るかどうかを確定する方式で、基地局は水平測位結果によりUEに測定する必要がある対象を設定し、該方法を使用して測定を完成するようにUEを制御するプロセスは図6に示すように、以下のステップを含む。
【０１４９】
ステップ601、UEは温度測定を実行する。
【０１５０】
ステップ602、UE又は基地局は該UEが既に室内環境に入るかどうかを判断する。UEが判断を実行する場合に、UEは内蔵の温度計を使用して現在環境の温度値を測定し、そして予定規則により既に室内環境に入るかどうかを確定し、例えば、予定規則は現在温度測定値と前回の温度値とを比較し、変化幅がある予定値に達することであってよい。
【０１５１】
基地局が判断を実行する場合に、UEは現在温度測定値又は現在温度値及び予定規則により確定された室内環境に入るかどうかの指示情報を基地局に送信することができ、前記UEが室内環境に入るかどうかを基地局が確定することに用いる。
【０１５２】
ステップ603、UEは既に室内環境に入るかどうかを確定すると、UEは既に室内環境に入ることを確定する場合に水平測位を自発的にトリガーして実行することができ、基地局はUEが既に室内環境に入るかどうかを判断すると、基地局はUEの水平測位をトリガーすることができ、具体的に、基地局はRRC専有シグナリングによりUEに指示することができる。
【０１５３】
UEの水平測位は、
1）全地球航法衛星に基づく測位方法（GNSS又はA-GNSS）、
2）強化されたセル識別子（E-CID）、OTDOA（ダウンリンク到達時間観測差）、UTDOA（アップリンク到達時間観測差）を含む、無線ネットワークに基づく測位技術、という方法を採用することができる。
【０１５４】
また、基地局は更にUEのユーザ入力情報によりUEの位置情報を取得することができ、又は基地局はユーザ入力情報を検索することにより該UEの位置情報を取得することができる。
【０１５５】
ステップ604、UE又は基地局はUEが既に室内環境に入ると判断すると、基地局はUEの水平位置情報を取得した後、ネットワークトポロジ情報を合わせて該UEの平面位置を確定し、且つUEの測定設定の関連情報を確定する。ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。基地局は設定方式により該ネットワークトポロジ情報を取得するか、又は基地局は更に他のUEが近接指示を報告する方式により該ネットワークトポロジ情報を取得することができる。具体的に、基地局は他のUEが報告した近接指示情報を記録して統計することができ、且つ該報告されたUEの位置情報を合わせてネットワークトポロジ情報を取得する。
【０１５６】
基地局はRRC専有シグナリング（例えば、RRC再設定メッセージ）によりUEへ測定設定の関連情報を送信することができる。具体的に、測定設定の関連情報は以下の1）〜3）を含む。
1）1つ又は複数の測定対象情報、及び/又は前記測定対象に対応する高さ値又は気圧値。測定対象情報はフォーマット、周波数点、物理セル識別子等を含む。フォーマットは、CDMA2000、E-UTRAN、UTRAN、GERAN等を含む。
2）又は、UEのWIFI機能モジュールの開始指示、及び/又はWIFIアクセスポイント情報、及び/又は該WIFIアクセスポイント情報に対応する高さ値又は気圧値。
3）又は、UEのD2D機能モジュールの開始指示、及び/又はD2D関連測定の設定情報、及び/又は該D2D関連測定の設定情報に対応する高さ値又は気圧値。D2D関連測定の設定情報は、UEがD2D発見又はD2D通信の送信及び/又は受信を実行するリソース、又は識別子、又はシーケンス関連の情報を含む。
【０１５７】
なお、基地局は更にUEの位置情報又は温度測定情報によりUEが室内環境から離れるか又は特定セル/WIFIアクセスポイント/D2Dネットワークから離れることを確定することができると、UEに送信した測定設定の関連情報は測定対象の削除、又はWIFI機能モジュールのオフ指示、又はD2D機能モジュールのオフ指示を含む。
【０１５８】
ステップ605、UEは基地局が送信した測定設定の関連情報と高さ測位結果により測定する必要がある測定対象を確定するとともに、対応する測定を実行し、又は対応するWIFI又はD2D機能モジュールを開始し、又は対応するWIFI又はD2D関連測定を実行し、それにより対応するセル又はWIFIアクセスポイント又は近接UEを発見する。例えば、測定設定の関連情報は1つ又は複数の測定対象情報及び該測定対象に対応する高さ値又は気圧値を含む場合、UEは内蔵の気圧計又は気圧式高さ計又はジャイロ式高さ計に基づいて測定して得られた気圧値又は高さ値及び測定設定の関連情報により、得られた測定値に対応する1つ又は複数の測定する必要がある測定対象を確定し、そして測定する必要がある測定対象に対応する測定を実行する。
【０１５９】
以下、図面を合わせて、本発明の実施例7を説明する。
【０１６０】
本発明の実施例はセル発見方法を提供し、ネットワークノードはユーザ装置の位置情報を取得する必要がなく、ユーザ装置へ高さ位置情報と関連する測定設定の関連情報を送信することができる。該方法を使用して測定を完成するプロセスは図7に示すように、以下のステップを含む。
【０１６１】
ステップ701、ネットワークノードはユーザ装置へ高さ位置情報と関連する測定設定の関連情報を送信する。
【０１６２】
該ステップにおいて、ネットワークノードはユーザの位置情報を取得する必要がなく、ユーザ装置へ測定設定の関連情報を送信する。
【０１６３】
前記高さ位置情報と関連する測定設定の関連情報は、
1つ又は複数の測定対象情報及び前記測定対象に対する測定をトリガーする条件情報である第4組の情報、
前記ユーザ装置のWIFI機能モジュールの開始指示、及び/又はWIFIアクセスポイント情報、及び前記WIFI機能モジュールの開始と前記WIFIアクセスポイントに対する測定をトリガーする条件情報である第5組の情報、
前記ユーザ装置のD2D機能モジュールの開始指示、及び/又はD2D関連測定の設定情報、及び前記D2D機能モジュールの開始とD2D関連の測定をトリガーする条件情報である第6組の情報、のいずれかの1組の情報を含む。
【０１６４】
前記D2D関連測定の設定情報は、
前記ユーザ装置がD2D発見又はD2D通信の送信及び/又は受信を実行するリソース、又は識別子、又はシーケンス関連の情報を含む。
【０１６５】
前記条件情報は、
気圧値又は高さ値の値範囲、又は、
気圧値又は高さ値の閾値を含む。
【０１６６】
該ステップの具体的な実施形態は、
前記ネットワークノードがそのカバレッジ範囲内のネットワークトポロジ情報によりユーザ装置へ高さ位置情報と関連する測定設定の関連情報を送信すること、又は、
前記ネットワークノードがそのカバレッジ範囲内のネットワークトポロジ情報と前記ユーザ装置の関連の常用情報によりユーザ装置へ高さ位置情報と関連する測定設定の関連情報を送信すること、又は、
前記ネットワークノードが前記ユーザ装置の水平位置情報とそのカバレッジ範囲内のネットワークトポロジ情報によりユーザ装置へ高さ位置情報と関連する測定設定の関連情報を送信すること、を含む。
【０１６７】
前記ネットワークトポロジ情報は、前記ネットワークノードのカバレッジ範囲内のセル情報又はWIFIアクセスポイント情報又はD2Dネットワークノード情報、及び前記セル又はWIFIアクセスポイント又はD2Dネットワークノードの地理位置情報を少なくとも含む。
【０１６８】
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計又はユーザにより設定されたWIFI又はD2D傾向情報である。
【０１６９】
ステップ702、ユーザ装置はネットワークノードが送信した高さ位置情報と関連する測定設定の関連情報を受信する。
【０１７０】
ステップ703、ユーザ装置は高さ測位結果と前記測定設定の関連情報により対応する測定を実行する。
【０１７１】
該ステップは具体的に、
1、前記ユーザ装置が内蔵の気圧計又は気圧式高さ計又はジャイロ式高さ計を使用して高さ測位を実行し、
2、高さ測位結果が前記測定設定の関連情報における前記測定対象に対する測定、又はWIFI又はD2D関連の開始又は測定をトリガーする条件を満たすと確定する場合、前記ユーザ装置が前記測定設定の関連情報における1つ又は複数の測定対象に対して測定を実行するか又はWIFI又はD2Dの対応する測定を実行するか、又はWIFI又はD2D関連機能モジュールを開始することである。
【０１７２】
以下、図面を合わせて、本発明の実施例8を説明する。
【０１７３】
本発明の実施例はセル発見方法を提供し、基地局をネットワークノードとし、UEをユーザ装置とすることを例として説明する。本発明の実施例が提供する技術的手段において、基地局はUEの位置情報を取得する必要がなく、UEに高さ位置情報と関連する測定設定の関連情報を設定する。該方法を使用して測定を完成するようにUEを制御するプロセスは図8に示すように、以下のステップを含む。
【０１７４】
ステップ801、基地局はUEへ高さ位置情報と関連する測定設定の関連情報を送信する。高さ位置情報と関連する測定設定の関連情報は、以下の1）〜3）を含む。
1）1つ又は複数の測定対象情報及び該測定対象に対する測定をトリガーする条件情報。
2）又は、UEのWIFI機能モジュールの開始指示、及び/又はWIFIアクセスポイント情報、及び前記WIFIアクセスポイントに対する測定を対応的にトリガーする条件情報。
3）又は、UEのD2D機能モジュールの開始指示、及び/又はD2D関連測定の設定情報、及び前記D2D関連の測定を対応的にトリガーする条件情報。更に、前記D2D関連測定の設定情報は、UEがD2D発見又はD2D通信の送信及び/又は受信を実行するリソース、又は識別子、又はシーケンス関連の情報を含む。
【０１７５】
トリガー条件情報は気圧値又は高さ値の値範囲、又は気圧値又は高さ値の閾値である。
【０１７６】
具体的に、基地局はそのカバレッジ範囲内のネットワークトポロジ情報によりUEへ高さ位置情報と関連する測定設定の関連情報を送信することができる。ネットワークトポロジ情報は、セル情報（周波数点、物理セル識別子等）及び対応する地理位置情報、又はWIFIアクセスポイント情報及び対応する地理位置情報、又はD2Dネットワークノード及び対応する地理位置情報を含む。基地局は設定方式により該ネットワークトポロジ情報を取得するか、又は基地局は更に他のUEが近接指示を報告する方式により該ネットワークトポロジ情報を取得することができる。具体的に、基地局は他のUEが報告した近接指示情報を記録して統計することができ、且つ該報告されたUEの位置情報を合わせてネットワークトポロジ情報を取得する。
【０１７７】
又は、基地局は更にそのカバレッジ範囲内のネットワークトポロジ情報と該UEの関連の常用情報によりUEへ高さ位置情報と関連する測定設定の関連情報を送信する。 UEの関連の常用情報はUEが複数回アクセスしたセル又はWIFIアクセスポイント情報、又はUEのアクセスする傾向があるセル又はWIFIアクセスポイント情報、又はユーザが設定した特定セル又はWIFIアクセスポイント情報、又は統計又はユーザにより設定されたWIFI又はD2D傾向情報である。
【０１７８】
ステップ802、UEは内蔵の気圧計又は気圧式高さ計を使用するか又はジャイロ式高さ計に基づいて現在気圧値を測定して高さ測位を実行する。
【０１７９】
ステップ803、UEは高さ測位を実行した後、高さ測位結果が測定設定の関連情報における高さ位置情報と関連する測定トリガー条件を満たすかどうかを判断する。満たすと、ステップ804を実行し、満たさないと、ステップ802を実行する。
【０１８０】
ステップ804、UEは高さ測位結果が高さ位置情報と関連する測定設定の関連情報における測定トリガー条件を満たすと確定すると、該測定トリガー条件に対応する1つ又は複数の測定対象に対して対応する測定を実行するか又はWIFI又はD2Dの対応する測定を実行するか、又はWIFI又はD2D関連機能モジュールを開始することにより、対応するセル又はWIFIアクセスポイント又は近接UEを発見する。
【０１８１】
以下、図面を合わせて、本発明の実施例9を説明する。
【０１８２】
本発明の実施例はセル発見装置を提供し、その構造は図9に示すように、
ユーザ装置の、高さ情報を含む位置情報を取得するための位置情報取得モジュール901、
前記ユーザ装置の位置情報によりユーザ装置へ測定設定の関連情報を送信し、前記測定設定の関連情報により対応する測定を実行するように前記ユーザ装置に指示するための設定モジュール902、を含む。
【０１８３】
好ましくは、前記位置情報取得モジュール901は、
自発的に前記ユーザ装置の位置情報を取得するための第1取得ユニット9011、
ユーザ装置が報告した情報により前記ユーザ装置の位置情報を取得するための第2取得ユニット9012、
前記ユーザ装置のユーザ入力情報により前記ユーザ装置の位置情報を取得するための第3取得ユニット9013、
前記ユーザ装置のユーザ入力情報を検索することにより、前記ユーザ装置の位置情報を取得するための第4取得ユニット9014、を含む。
【０１８４】
好ましくは、該装置は、
RRC専有シグナリングにより高さ測位を実行するように前記ユーザ装置に指示するための測位指示モジュール903を更に含む。
【０１８５】
好ましくは、該装置は、
前記ユーザ装置が送信した現在温度値又は前記現在温度値及び前記予定規則により確定された既に室内環境に入るかどうかの指示情報を受信し、前記ユーザ装置が送信した現在温度値又は前記指示情報又は前記ユーザ装置の水平位置情報により、前記ユーザ装置が室内環境に入るかどうかを判定する、という方式により前記ユーザ装置が既に室内環境に入ることを確定するための環境判定モジュール904を更に含む。
【０１８６】
好ましくは、前記測位指示モジュール903は更に、前記環境判定モジュールが、前記ユーザ装置が既に室内環境に入ることを確定した後、RRC専有シグナリングにより該ユーザ装置が既に室内環境に入ることを前記ユーザ装置に指示することに用いられる。
【０１８７】
好ましくは、前記設定モジュール902は、
前記ユーザ装置の位置情報とネットワークノードのカバレッジ範囲内のネットワークトポロジ情報によりユーザ装置へ測定設定の関連情報を送信する設定実行ユニット9021を含み、前記ネットワークトポロジ情報は、
前記ネットワークノードのカバレッジ範囲内のセル情報及び前記セルの地理位置情報、又は、
前記ネットワークノードのカバレッジ範囲内のWIFIアクセスポイント情報及び前記WIFIアクセスポイントの地理位置情報、又は、
前記ネットワークノードのカバレッジ範囲内のD2Dネットワークノード情報及び前記D2Dネットワークノードの地理位置情報を含む。
【０１８８】
好ましくは、前記設定モジュール902は、
設定方式により前記ネットワークトポロジ情報を取得するか、又は、
ユーザ装置が報告した近接指示と、前記報告を実行したユーザ装置の位置情報を合わせて前記ネットワークトポロジ情報を取得する、という方式により前記カバレッジ範囲のネットワークトポロジ情報を取得するためのトポロジ情報取得ユニット9022を更に含む。
【０１８９】
図9に示すセル発見装置はネットワークノードに集積することができ、ネットワークノードは対応する機能を完成する。
【０１９０】
図9に対応するように、本発明の実施例は更に他種のセル発見装置を提供し、その構造は図10に示すように、 
ネットワークノードが前記ユーザ装置の、高さ情報を含む位置情報により送信した測定設定の関連情報を受信するための設定情報受信モジュール1001、 
前記測定設定の関連情報により対応する測定を実行するための測定実行モジュール1002、を含む。
【０１９１】
好ましくは、該装置は測位モジュール1003を更に含み、前記測位モジュール1003は、
高さ測位の測定を行い、具体的にユーザ装置の内蔵の気圧計又は気圧式高さ計を使用して気圧測定を行い、気圧測定値を得るための高さ測定ユニット10031、
取得された校正データにより気圧測定値を校正して前記気圧測定値に対応する高さ値を得るための計算ユニット10032、
前記高さ値を高さ位置情報とし、前記ネットワークノードに報告するための報告ユニット10033、を含む。
【０１９２】
好ましくは、前記報告ユニット10033は更に、前記気圧測定値を高さ位置情報としてネットワークノードに報告し、それにより前記ネットワークノードがローカルの校正データにより前記気圧測定値を校正して前記気圧測定値に対応する高さ値を得ることに用いられる。
【０１９３】
好ましくは、該装置は
前記測位モジュール1001が該ユーザ装置に対する高さ測位を実行することを自発的にトリガーするか、又は、
前記ネットワークノードがRRC専有シグナリングにより送信した指示を受信し、該指示により前記測位モジュール1001が高さ測位を実行することをトリガーするためのトリガーモジュール1004を更に含む。
【０１９４】
好ましくは、前記トリガーモジュール1004は更に、トリガーイベントを検出する場合に前記ユーザ装置の高さ測位の測定及び/又は高さ測位情報の報告をトリガーすることに用いられ、前記トリガーイベントは前記ユーザ装置が既に室内環境に入ることを含み、前記高さ測位情報は気圧測定値及び/又は高さ値を含み、前記トリガーイベントは、
現在気圧測定値又は高さ測定値と前回の気圧測定値又は高さ測定値とを比較する変化幅が予定値に達すること、
又は、現在気圧測定値又は高さ測定値が予定気圧値又は予定高さ値の範囲内にあることを含む。
【０１９５】
好ましくは、該装置は、
前記ユーザ装置の内蔵の温度計を使用して測定して現在温度値を得、そして予定規則により既に室内環境に入るかどうかを確定するか、又は、
前記ユーザ装置の水平位置情報により前記ユーザ装置が既に室内環境に入るかどうかを確定する、という方式により前記ユーザ装置が既に室内環境に入ることを確定するための環境判定モジュール1005を更に含む。
【０１９６】
好ましくは、前記トリガーモジュール1004は更に、前記ユーザ装置が既に室内環境に入るイベントに基づいて前記測位モジュールが前記ユーザ装置に対する水平測位を実行することをトリガーすることに用いられる。
【０１９７】
前記測位モジュールは、前記ユーザ装置に対する水平測位を実行するための水平測位ユニットを更に含む。
【０１９８】
図10に示すセル発見装置はユーザ装置に集積されることができ、ユーザ装置は対応する機能を完成する。
【０１９９】
以下、図面を合わせて、本発明の実施例10を説明する。
【０２００】
本発明の実施例はセル発見装置を提供し、その構造は図11に示すように、
ユーザ装置へ高さ位置情報と関連する測定設定の関連情報を送信し、高さ測位結果と前記測定設定の関連情報により対応する測定を実行するように前記ユーザ装置に指示するための設定モジュール1101を含む。
【０２０１】
好ましくは、前記設定情報送信モジュール1101は、
ネットワークノードのカバレッジ範囲内のネットワークトポロジ情報によりユーザ装置へ高さ位置情報と関連する測定設定の関連情報を送信するための第1設定ユニット11011、
前記ネットワークノードのカバレッジ範囲内のネットワークトポロジ情報と前記ユーザ装置の関連の常用情報によりユーザ装置へ高さ位置情報と関連する測定設定の関連情報を送信するための第2設定ユニット11012、を含む。
【０２０２】
前記ネットワークトポロジ情報は、前記ネットワークノードのカバレッジ範囲内のセル情報又はWIFIアクセスポイント情報又はD2Dネットワークノード情報、及び前記セル又はWIFIアクセスポイント又はD2Dネットワークノードの地理位置情報を少なくとも含む。
【０２０３】
前記ユーザ装置の関連の常用情報は、ユーザ装置が複数回アクセスしたセル又はWIFIアクセスポイント情報、又はユーザ装置のアクセスする傾向があるセル又はWIFIアクセスポイント情報、又はユーザが設定した特定セル又はWIFIアクセスポイント情報、又は統計又はユーザにより設定されたWIFI又はD2D傾向情報を含む。
【０２０４】
図11に示すセル発見装置はネットワークノードに集積されることができ、ネットワークノードは対応する機能を完成する。
【０２０５】
図11に示すセル発見装置に対応するように、本発明の実施例は更に他種のセル発見装置を提供し、その構造は図12に示すように、
ネットワークノードが送信した高さ位置情報と関連する測定設定の関連情報を受信するための設定受信モジュール1201、
高さ測位結果と前記測定設定の関連情報により対応する測定を実行するための測定実行モジュール1202、を含む。
【０２０６】
好ましくは、前記測定実行モジュール1201は、
ユーザ装置の内蔵の気圧計又は気圧式高さ計を使用して高さ測位を実行するための測定ユニット12021、
高さ測位結果が前記測定設定の関連情報における前記測定対象に対する測定又はWIFI又は D2D関連の開始又は測定をトリガーする条件を満たすことを確定する場合、前記測定設定の関連情報における1つ又は複数の測定対象に対して測定を実行するか又はWIFI又はD2Dの対応する測定を実行するか、又は前記ユーザ装置のWIFI又はD2D関連機能モジュールを開始するための制御ユニット12022、を含む。
【０２０７】
当業者は、上記実施例の全部又は一部のステップがコンピュータプログラムプロセスで実現することができることを理解することができ、前記コンピュータプログラムはコンピュータ可読記憶媒体に記憶されることができ、前記コンピュータプログラムは対応するハードウェアプラットフォーム（例えばシステム、デバイス、装置、機器等）で実行し、実行する際、方法の実施例のステップの1つ又はその組み合わせを含む。
【０２０８】
選択的に、上記実施例の全部又は一部のステップは集積回路を使用して実現することもでき、これらのステップはそれぞれ1つの集積回路モジュールに製造されるか、又はそれらの中の複数のモジュール又はステップを単一の集積回路モジュールに製造して実現することができる。このように、本発明はいかなる特定のハードウェアとソフトウェアの組合せに限定されない。
【０２０９】
上記実施例における各装置/機能モジュール/機能ユニットは汎用の計算装置を採用して実現することができ、それらは単一の計算装置に集積されてもよく、複数の計算装置からなるネットワークに分布されてもよい。
【０２１０】
上記実施例における各装置/機能モジュール/機能ユニットはソフトウェア機能モジュールで実現するとともに独立な製品として販売又は使用される場合、1つのコンピュータ読み取り可能な記憶媒体に記憶することができる。上記コンピュータ読み取り可能な記憶媒体は読み取り専用メモリ、磁気ディスク又はCD等であってよい。
【０２１１】
当業者が本発明に開示された技術範囲内において簡単に考える変換又は切替は、いずれも本発明の保護範囲に属すべきである。このため、本発明の保護範囲は請求の範囲に記載の保護範囲を標準とすべきである。
【産業上の利用可能性】
【０２１２】
本発明の実施例はセル発見方法及び装置を提供し、ネットワークノードからUEへ測定設定の関連情報を送信し、更にUEは測定設定の関連情報により対応する測定を実行し、便利で効率的な小さなセル発見を実現し、小さなセルの発見過程においてタイムリーにトリガーされないとともに電力消耗が大きい問題を解決する。
【図１】
0006368784.tif 000002
【図２】
0006368784.tif 000003
【図３】
0006368784.tif 000004
【図４】
0006368784.tif 000005
【図５】
0006368784.tif 000006
【図６】
0006368784.tif 000007
【図７】
0006368784.tif 000008
【図８】
0006368784.tif 000009
【図９】
0006368784.tif 000010
【図１０】
0006368784.tif 000011
【図１１】
0006368784.tif 000012
【図１２】
0006368784.tif 000013